(57)【要約】【課題】  従来の構成は、各種のセンサー、遠隔操作スイッチを用いて自動開閉できる窓等に関する構成がある。しかし、この構成は、他の目的（窓の施錠、開錠等の目的）を達成できず改良の余地がある。また窃盗、盗難等の犯罪時に関する手当てが無く、一面的な改良に留まっている。【構成】  本発明は、窓に設けた施錠及び／又は開錠用のロック部と、このロック部を作動する第１制御部を備えたロック施錠、開錠機構と、前記窓の開閉を司る窓開閉機構と、この窓開閉機構を作動する第２制御部を備えた窓のロック及び／又は開閉を自動制御する窓の自動開閉システムであって、このロック施錠、開錠機構の可動でロック部を制御し、また窓開閉機構で窓を任意に制御することを特徴とした窓の自動開閉システムである。【選択図】      図１０
2006194065.tif 000002
【特許請求の範囲】
【請求項１】
建物の窓に設けられた施錠及び／又は開錠用のロック部とロック片でなるロック施錠、開錠機構と、このロック施錠、開錠機構を作動する第１制御部と、前記窓の開閉を司る窓開閉機構と、この窓開閉機構を作動する第２制御部を備えた窓のロック及び／又は開閉を自動制御する窓の自動開閉システムであって、
このロック部は、一方の窓の窓枠に開設された孔に取付けられる基台と、この基台に設けられた前記ロック施錠、開錠機構で可動するロック本体と、他方の窓の窓枠に設けたロック片で構成し、
また前記窓開閉機構は、一方の窓に設けた駆動従動部と、窓枠に設けた駆動主動部と、この駆動主動部を駆動する駆動部と、この駆動部の停止を司る停止手段で構成し、
さらに前記窓開閉機構は、前記窓の制動及び停止を司る第２御部を備えていること、また前記ロック施錠、開錠機構による前記ロック本体の可動で前記ロック部の施錠、開錠可能としたことを特徴とする窓の自動開閉システム。
【請求項２】
請求項１に記載の窓開閉機構は、屋外に設置した雨水センサー、また室内の温度センサー、或いは遠隔操作等の制御部で前記窓を作動する構成としたことを特徴とする窓の自動開閉システム。
【請求項３】
請求項１に記載の窓開閉機構は、窓ガラスに設けたロックセンサー、また遠隔操作等の自動手段で前記ロック部を作動する構成としたことを特徴とする窓の自動開閉システム。
【請求項４】
請求項１に記載の窓に振動センサーを設け、この振動センサーの動作で警報手段を作動することを特徴とする窓の自動開閉システム。
【請求項５】
請求項１に記載の窓開閉機構は、正逆転可能なモーターと、該モーターのプーリーに捲装した弾性体と、この弾性体が捲装された第１の歯車と、該第１の歯車に噛合した第２の歯車と、該第２の歯車に軸承した第３の歯車と、該第３の歯車に係止したバネを有するラチエットで構成し、窓を一定位置まで開放した後、前記ラチエットにより第３の歯車を規制して窓を一定位置に静止し、前記雨水センサー、温度センサー等のセンサーで該ラチエット及び第３の歯車に対する規制を解除し、前記バネの反発力により該窓を閉塞方向に移動可能としたことを特徴とする窓の自動開閉システム。
【請求項６】
請求項１に記載の窓開閉機構は、正逆転可能なモーターと、該モーターの回転により伸縮可能なこのモーターに連繋した伸縮杆と、該伸縮杆に設置した窓取付け部で構成し、該窓を一定位置まで開放した後、モーターの回転を停止して該窓を一定位置で静止し、前記雨水センサー、温度センサー等のセンサーによる指令で前記伸縮杆の伸縮により該窓を閉塞方向に移動可能としたことを特徴とする窓の自動開閉システム。
【請求項７】
請求項１に記載の窓開閉機構は、正逆転可能なモーターと、該モーターで正逆転可能なギアと、該ギアと噛合する前記窓に設けたラックで構成し、該ギアの正転で窓を一定位置まで開放した後、該モーターの回転を停止して該窓を一定位置で静止し、前記雨水センサー、温度センサー等のセンサーの指令による該モーターの回転によるギアの逆転により該窓を閉塞方向に移動可能としたことを特徴とする窓の自動開閉システム。
【請求項８】
請求項１に記載の窓開閉機構は、正逆転可能なモーターと、該モーターと連繋されたネジ軸と、該ネジ軸と螺合する支承部と、該支承部に設置された窓取付け部で構成し、該モーターの回転によるネジ軸の正転で前記窓を一定位置まで開放した後、該モーターの回転を停止して該窓を一定位置で静止した後、前記雨水センサー、温度センサー等のセンサーの指令による該モーターの回転によるネジ軸の逆転により該窓を閉塞方向に移動可能としたことを特徴とする窓の自動開閉システム。
【請求項９】
請求項１に記載の窓開閉機構は、正逆転可能なモーターと、該モーターと連繋されたプーリーと、該プーリーに捲装したベルトと、該ベルトが捲装された他のプーリーと、前記ベルトに設けた窓取付け部で構成し、該モーターの回転による前記ベルトの前進で前記窓を一定位置まで開放した後、該モーターの回転を停止して該窓を一定位置で静止した後、前記雨水センサー、温度センサー等のセンサーの指令による該モーターの回転による該ベルトの後退により該窓を閉塞方向に移動可能としたことを特徴とする窓の自動開閉システム。
【請求項１０】
請求項１に記載の窓開閉機構は、一方側の第１の磁石と、他方側の第２の磁石と、該第１の磁石に電気を供給又は停止するＮＳ極切換え機構で構成し、該第１の磁石への電気の供給で前記窓を一定位置まで開放した後、前記雨水センサー、温度センサー等のセンサーによる窓開閉機構への指令と、該第１の磁石への電気の停止により該窓を閉塞方向に移動可能としたことを特徴とする窓の自動開閉システム。
【発明の詳細な説明】
【技術分野】
【０００１】
本発明は、ロック部の自動開錠及び／又は施錠で窓の開錠と施錠を図り、また雨水センサーの作用で該窓の開閉を図る窓の自動開閉システムに関する。
【背景技術】
【０００２】
従来、建物や家屋には窓が設けてあり、特に洋風の家屋に窓及び／又は出窓・天窓等（窓とする）が設けられている。そして、この窓の開閉は、室内の換気・温度調整・風雨の遮断及び排煙等のために日常的に行われているのが現況である。また防犯の面からは施錠及び／又は閉塞が必須である。しかし、窓を開放した状態及び／又は閉塞を忘れたまま外出・就寝等することもあり、例えば、天候の急変、開放及び／又は閉塞が必要な場合における的確な処置が図れないこと、又は健康・体の調子等の面から開放及び／又は閉塞が必要な場合における処置が図れず問題があった。そして、殊に、障害者等の健常者以外では、この種の窓の施錠及び／又は開閉と、ロック等の面で手当てが必要な場合がある。以上のような見地から、一定の条件のもとで窓を自動的に開閉及び／又は施錠・開錠する装置が発明され出願されている。
【０００３】
文献１は、特開２００４−２５０９４６「引違い窓開閉装置」であり、閉窓時は、リモートコントプーリーの操作により駆動制御機構の電動モーターを駆動して一方向クラッチを介して窓を閉窓方向に変位させる。開窓時は、リモートコントプーリーの操作により開窓時にゼンマイばねの弾性力が解放されて窓を開窓方向に変位させる。一方向クラッチは、閉窓時のみに駆動歯車および支軸の回転力を駆動プーリーに伝達し、ギャドケーブル、取付板及びスライダーを介して窓を閉窓方向に自由にスライド変位させる。
【０００４】
文献２は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００５】
また文献３は、特開２００４−１３７８５１「引き違い戸用ロック装置」であり、引き違い戸の閉塞部近傍に取付け自在なロック装置本体及びロック部材と、このロック装置本体に設けたロック部材側へ出没することで該ロック部材との間で引き違い戸を施錠及び解錠するロック杆と、リモコン装置の施錠及び解錠信号で前記ロック杆を動作する制御手段と、前記引き違い戸に加わる異常な振動を検知して異常信号を発生する振動検知手段で構成する。この構成により、業者に取り付け工事を依頼するロック装置に比べて経費の削減が図れ、異常信号により警報を発し、ガラスを破って侵入する窃盗犯にも有効であることを特徴とする。
【０００６】
さらに文献４は、実開平７−２６５６９「引き戸式自動開閉窓」であり、電源に接続したリモコン回路、タイマー、また雨滴検知の湿度センサー、温度センサーのセンサーと、駆動モーター並びに駆動伝達部等を内蔵したボックスと、家屋の窓の窓外枠又はかまちの左右の中心部付近の位置に固定した窓開閉部を設け、この駆動伝達端と窓開閉部とを、遠隔操作スイッチの入力及び／又はセンサーの検知、また操作盤の入力で前記リモコン回路又はタイマーの作動に伴ってモーターが作動し、窓が自動的に開閉するように構成し、携帯用遠隔操作スイッチを用いて自動的に開閉できる窓、並びにタイマー、雨滴検知の湿度センサー、温度センサー等の自動作動で窓が自動的に閉塞できる引き戸式自動開閉窓を提供できる特徴がある。
【０００７】
【特許文献１】特開２００４−２５０９４６
【特許文献２】特開２０００−３１００６８
【特許文献３】特開２００４−１３７８５１
【特許文献４】実開平７−２６５６９
【発明の開示】
【発明が解決しようとする課題】
【０００８】
文献１は、遠隔操作により窓を自動的に開閉できるが、構成が複雑であり、製造が困難であること、構造が大型化することから、窓には一定の大きさが必要となり、設置に問題を残すこと、また雨水センサー等のセンサーが装備されておらず、天候の変化に対応できないこと、防犯機能がないこと等の課題がある。
【０００９】
文献２は、窓の自動開放が可能であるが、詳細な構成が記載されておらず、発明の構成要件を具備しておらず、課題が残る。
【００１０】
文献３は、ロック装置は、窓枠に別体のロック装置本体を連動し、かつこの別体のロック装置本体を設置する構成であることから、構造が複雑となること、コストの上昇を招来すること等の問題がある。そして、前記構造の複雑化と相俟って、さらに別体のロック装置本体の設置に、新たな手段を必要とすることから、一層の複雑化とコストの上昇に滑車をかける虞がある。尚、この発明は、引き違い戸のロックの施錠及び／又は開錠に留まり、他の目的を達成できず改良の余地がある。
【００１１】
また文献４は、各種のセンサー、遠隔操作スイッチを用いて自動的に開閉できる窓等に関する考案であり、他の目的を達成できず改良の余地がある。また窃盗、盗難等の犯罪時に関する手当てが無く、一面的な改良に留まっている。
【００１２】
上記に鑑み、本発明は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞を図ることを意図する。そして、既設の窓にも簡易かつ確実に取付けできること、また部品点数を少なくし製造の容易化を図ること、殊に洋風の家の窓（出窓等）に取付けが可能な構造を提供すること等を意図する。また「２」  ロック部の自動開錠及び／又は施錠と、雨水センサー等のセンサーにより外出中、就寝中、子供の留守番の状態、幼児を置いた状態等において、窓が開放されていても自動で閉塞（閉窓）が可能であり（逆の動作も同じ）、急な天候の変化に対応できること、また防犯性の向上に寄与できること、安心して外出できること等を意図する。そして、「３」  障害者、子供等に優しい、窓の開閉及び／又は閉塞手段を提供することを意図する。
【課題を解決するための手段】
【００１３】
請求項１の発明は、ロック施錠、開錠機構及び／又は第２制御部と、制御部で、施錠及び／又は開錠と、窓の開閉を図ることで、前述した「１」〜「３」の目的を達成することを意図する。そして、この目的を簡単な装置で達成すること、また既設の窓に簡易に取付け得ること等を意図する。
【００１４】
請求項１は、建物の窓に設けられた施錠及び／又は開錠用のロック部とロック片でなるロック施錠、開錠機構と、このロック施錠、開錠機構を作動する第１制御部と、前記窓の開閉を司る窓開閉機構と、この窓開閉機構を作動する第２制御部を備えた窓のロック及び／又は開閉を自動制御する窓の自動開閉システムであって、
このロック部は、一方の窓の窓枠に開設された孔に取付けられる基台と、この基台に設けられた前記ロック施錠、開錠機構で可動するロック本体と、他方の窓の窓枠に設けたロック片で構成し、
また前記窓開閉機構は、一方の窓に設けた駆動従動部と、窓枠に設けた駆動主動部と、この駆動主動部を駆動する駆動部と、この駆動部の停止を司る停止手段で構成し、
さらに前記窓開閉機構は、前記窓の制動及び停止を司る第２御部を備えていること、また前記ロック施錠、開錠機構による前記ロック本体の可動で前記ロック部の施錠、開錠可能としたことを特徴とする窓の自動開閉システムである。
【００１５】
請求項２の発明は、請求項１の目的を達成すること、この目的を達成するのに最適な第２制御部を提供することを意図する。
【００１６】
請求項２は、請求項１に記載の窓開閉機構は、屋外に設置した雨水センサー、また室内の温度センサー、或いは遠隔操作等の制御部で前記窓を作動する構成としたことを特徴とする窓の自動開閉システムである。
請求項３の発明は、請求項１の目的を達成すること、この目的を達成するのに最適なロック施錠、開錠機構を提供することを意図する。
【００１７】
請求項３は、請求項１に記載の窓開閉機構は、窓ガラスに設けたロックセンサー、また遠隔操作等の自動手段で前記ロック部を作動する構成としたことを特徴とする窓の自動開閉システムである。
【００１８】
請求項４の発明は、請求項１の目的を達成すること、さらに他の目的を達成するために窓に振動センサーを付設することを意図する。
【００１９】
請求項４は、請求項１に記載の窓に振動センサーを設け、この振動センサーの動作で警報手段を作動することを特徴とする窓の自動開閉システムである。
【００２０】
請求項５の発明は、請求項１の目的を達成すること、この目的を達成するのに最適なロック施錠、開錠機構を提供することを意図する。また既設の窓及び／又は框に設置できるロック施錠、開錠機構を提供することを意図する。
【００２１】
請求項５は、請求項１に記載の窓開閉機構は、正逆転可能なモーターと、該モーターのプーリーに捲装した弾性体と、この弾性体が捲装された第１の歯車と、該第１の歯車に噛合した第２の歯車と、該第２の歯車に軸承した第３の歯車と、該第３の歯車に係止したバネを有するラチエットで構成し、窓を一定位置まで開放した後、前記ラチエットにより第３の歯車を規制して窓を一定位置に静止し、前記雨水センサー、温度センサー等のセンサーで該ラチエット及び第３の歯車に対する規制を解除し、前記バネの反発力により該窓を閉塞方向に移動可能としたことを特徴とする窓の自動開閉システムである。
【００２２】
請求項６の発明は、請求項１の目的を達成すること、この目的を達成するのに最適なロック施錠、開錠機構を提供することを意図する。また構造の簡単で動作が確実なロック施錠、開錠機構を提供することを意図する。
【００２３】
請求項６は、請求項１に記載の窓開閉機構は、正逆転可能なモーターと、該モーターの回転により伸縮可能なこのモーターに連繋した伸縮杆と、該伸縮杆に設置した窓取付け部で構成し、該窓を一定位置まで開放した後、モーターの回転を停止して該窓を一定位置で静止し、前記雨水センサー、温度センサー等のセンサーによる指令で前記伸縮杆の伸縮により該窓を閉塞方向に移動可能としたことを特徴とする窓の自動開閉システムである。
【００２４】
請求項７の発明は、請求項１の目的を達成すること、この目的を達成するのに最適なロック施錠、開錠機構を提供することを意図する。また窓に合わせた設置が可能なロック施錠、開錠機構を提供することを意図する。
【００２５】
請求項７は、請求項１に記載の窓開閉機構は、正逆転可能なモーターと、該モーターで正逆転可能なギアと、該ギアと噛合する前記窓に設けたラックで構成し、該ギアの正転で窓を一定位置まで開放した後、該モーターの回転を停止して該窓を一定位置で静止し、前記雨水センサー、温度センサー等のセンサーの指令による該モーターの回転によるギアの逆転により該窓を閉塞方向に移動可能としたことを特徴とする窓の自動開閉システムである。
【００２６】
請求項８の発明は、請求項１の目的を達成すること、この目的を達成するのに最適なロック施錠、開錠機構を提供することを意図する。また窓の開閉が確実に行えるロック施錠、開錠機構を提供することを意図する。
【００２７】
請求項８は、請求項１に記載の窓開閉機構は、正逆転可能なモーターと、該モーターと連繋されたネジ軸と、該ネジ軸と螺合する支承部と、該支承部に設置された窓取付け部で構成し、該モーターの回転によるネジ軸の正転で前記窓を一定位置まで開放した後、該モーターの回転を停止して該窓を一定位置で静止した後、前記雨水センサー、温度センサー等のセンサーの指令による該モーターの回転によるネジ軸の逆転により該窓を閉塞方向に移動可能としたことを特徴とする窓の自動開閉システムである。
【００２８】
請求項９の発明は、請求項１の目的を達成すること、この目的を達成するのに最適なロック施錠、開錠機構を提供することを意図する。また窓の開閉を静寂に行えるロック施錠、開錠機構を提供することを意図する。
【００２９】
請求項９は、請求項１に記載の窓開閉機構は、正逆転可能なモーターと、該モーターと連繋されたプーリーと、該プーリーに捲装したベルトと、該ベルトが捲装された他のプーリーと、前記ベルトに設けた窓取付け部で構成し、該モーターの回転による前記ベルトの前進で前記窓を一定位置まで開放した後、該モーターの回転を停止して該窓を一定位置で静止した後、前記雨水センサー、温度センサー等のセンサーの指令による該モーターの回転による該ベルトの後退により該窓を閉塞方向に移動可能としたことを特徴とする窓の自動開閉システムである。
【００３０】
請求項１０の発明は、請求項１の目的を達成すること、この目的を達成するのに最適なロック施錠、開錠機構を提供することを意図する。また窓の開閉を静寂かつ確実に行えるロック施錠、開錠機構を提供することを意図する。
【００３１】
請求項１０は、請求項１に記載の窓開閉機構は、一方側の第１の磁石と、他方側の第２の磁石と、該第１の磁石に電気を供給又は停止するＮＳ極切換え機構で構成し、該第１の磁石への電気の供給で前記窓を一定位置まで開放した後、前記雨水センサー、温度センサー等のセンサーによる窓開閉機構への指令と、該第１の磁石への電気の停止により該窓を閉塞方向に移動可能としたことを特徴とする窓の自動開閉システムである。
【発明の効果】
【００３２】
請求項１の発明は、建物の窓に設けられた施錠及び／又は開錠用のロック部とロック片でなるロック施錠、開錠機構と、ロック施錠、開錠機構を作動する第１制御部と、窓の開閉を司る窓開閉機構と、窓開閉機構を作動する第２制御部を備えた窓のロック及び／又は開閉を自動制御する窓の自動開閉システムであって、
ロック部は、一方の窓の窓枠に開設された孔に取付けられる基台と、基台に設けられたロック施錠、開錠機構で可動するロック本体と、他方の窓の窓枠に設けたロック片で構成し、
また窓開閉機構は、一方の窓に設けた駆動従動部と、窓枠に設けた駆動主動部と、駆動主動部を駆動する駆動部と、駆動部の停止を司る停止手段で構成し、
さらに窓開閉機構は、窓の制動及び停止を司る第２御部を備えていること、またロック施錠、開錠機構によるロック本体の可動でロック部の施錠、開錠可能とした窓の自動開閉システムである。
【００３３】
従って、請求項１は、ロック施錠、開錠機構及び／又は第２制御部と、制御部で、施錠及び／又は開錠と、窓の開閉が図れることで、前述した「１」〜「３」の目的を達成できる特徴がある。そして、この目的を簡単な装置で達成できること、また既設の窓に簡易に取付け得ること等の実益がある。
【００３４】
請求項２の発明は、請求項１に記載の窓開閉機構は、屋外に設置した雨水センサー、また室内の温度センサー、或いは遠隔操作等の制御部で窓を作動する構成とした窓の自動開閉システムである。
【００３５】
従って、請求項２は、請求項１の目的を達成できること、この目的を達成するのに最適な第２制御部を提供できること等の特徴がある。
請求項３の発明は、請求項１に記載の窓開閉機構は、窓ガラスに設けたロックセンサー、また遠隔操作等の自動手段でロック部を作動する構成とした窓の自動開閉システムである。
【００３６】
従って、請求項３は、請求項１の目的を達成できること、この目的を達成するのに最適なロック施錠、開錠機構を提供できること等の特徴がある。
【００３７】
請求項４の発明は、請求項１に記載の窓に振動センサーを設け、振動センサーの動作で警報手段を作動する窓の自動開閉システムである。
【００３８】
従って、請求項４は、請求項１の目的を達成できること、さらに他の目的を達成するために窓に振動センサーを付設できること等の特徴がある。
【００３９】
請求項５の発明は、請求項１に記載の窓開閉機構は、正逆転可能なモーターと、モーターのプーリーに捲装した弾性体と、弾性体が捲装された第１の歯車と、第１の歯車に噛合した第２の歯車と、第２の歯車に軸承した第３の歯車と、第３の歯車に係止したバネを有するラチエットで構成し、窓を一定位置まで開放した後、ラチエットにより第３の歯車を規制して窓を一定位置に静止し、雨水センサー、温度センサー等のセンサーでラチエット及び第３の歯車に対する規制を解除し、バネの反発力により窓を閉塞方向に移動可能とした窓の自動開閉システムである。
【００４０】
従って、請求項５は、請求項１の目的を達成できること、この目的を達成するのに最適なロック施錠、開錠機構を提供できること等の特徴がある。また既設の窓及び／又は框に設置できるロック施錠、開錠機構を提供できること等の特徴がある。
【００４１】
請求項６の発明は、請求項１に記載の窓開閉機構は、正逆転可能なモーターと、モーターの回転により伸縮可能なモーターに連繋した伸縮杆と、伸縮杆に設置した窓取付け部で構成し、窓を一定位置まで開放した後、モーターの回転を停止して窓を一定位置で静止し、雨水センサー、温度センサー等のセンサーによる指令で伸縮杆の伸縮により窓を閉塞方向に移動可能とした窓の自動開閉システムである。
【００４２】
従って、請求項６は、請求項１の目的を達成できること、この目的を達成するのに最適なロック施錠、開錠機構を提供できること等の特徴がある。また構造の簡単で動作が確実なロック施錠、開錠機構を提供できる実益がある。
【００４３】
請求項７の発明は、請求項１に記載の窓開閉機構は、正逆転可能なモーターと、モーターで正逆転可能なギアと、ギアと噛合する前記窓に設けたラックで構成し、ギアの正転で窓を一定位置まで開放した後、モーターの回転を停止して窓を一定位置で静止し、雨水センサー、温度センサー等のセンサーの指令によるモーターの回転によるギアの逆転により窓を閉塞方向に移動可能とした窓の自動開閉システムである。
【００４４】
従って、請求項７は、請求項１の目的を達成できること、この目的を達成するのに最適なロック施錠、開錠機構を提供できること等の特徴がある。また窓に合わせた設置が可能なロック施錠、開錠機構を提供できる実益がある。
【００４５】
請求項８の発明は、請求項１に記載の窓開閉機構は、正逆転可能なモーターと、モーターと連繋されたネジ軸と、ネジ軸と螺合する支承部と、支承部に設置された窓取付け部で構成し、モーターの回転によるネジ軸の正転で窓を一定位置まで開放した後、モーターの回転を停止して窓を一定位置で静止した後、雨水センサー、温度センサー等のセンサーの指令によるモーターの回転によるネジ軸の逆転により窓を閉塞方向に移動可能とした窓の自動開閉システムである。
【００４６】
従って、請求項８は、請求項１の目的を達成できること、この目的を達成するのに最適なロック施錠、開錠機構を提供できること等の特徴がある。また窓の開閉が確実に行えるロック施錠、開錠機構を提供できる実益がある。
【００４７】
請求項９の発明は、請求項１に記載の窓開閉機構は、正逆転可能なモーターと、モーターと連繋されたプーリーと、プーリーに捲装したベルトと、ベルトが捲装された他のプーリーと、ベルトに設けた窓取付け部で構成し、モーターの回転によるベルトの前進で窓を一定位置まで開放した後、モーターの回転を停止して窓を一定位置で静止した後、雨水センサー、温度センサー等のセンサーの指令によるモーターの回転によるベルトの後退により窓を閉塞方向に移動可能とした窓の自動開閉システムである。
【００４８】
従って、請求項９は、請求項１の目的を達成できること、この目的を達成するのに最適なロック施錠、開錠機構を提供できること等の特徴がある。また窓の開閉を静寂に行えるロック施錠、開錠機構を提供できる実益がある。
【００４９】
請求項１０の発明は、請求項１に記載の窓開閉機構は、一方側の第１の磁石と、他方側の第２の磁石と、該第１の磁石に電気を供給又は停止するＮＳ極切換え機構で構成し、該第１の磁石への電気の供給で前記窓を一定位置まで開放した後、前記雨水センサー、温度センサー等のセンサーによる窓開閉機構への指令と、該第１の磁石への電気の停止により該窓を閉塞方向に移動可能としたことを特徴とする窓の自動開閉システムである。
【００５０】
従って、請求項１０は、請求項１の目的を達成できること、この目的を達成するのに最適なロック施錠、開錠機構を提供できること等の特徴がある。また窓の開閉を静寂かつ確実に行えるロック施錠、開錠機構を提供できる実益がある。
【発明を実施するための最良の形態】
【００５１】
本発明の各実施例を図面を基に説明する。
【００５２】
〔１〕  本発明の自動ロック施錠・開錠装置のロック施錠、開錠機構１と、ロック部２の関係を説明する。そして、このロック施錠、開錠機構１は、ロック部２の施錠・開錠を司る構造であり、この例では、ロック部２は、窓枠３に開設した従来の孔を利用して取付けられた基台４と、この基台４に蟻溝嵌合等のガイド機構を介して昇降自在に設けられたロック本体５と、このロック本体５を可動する基台４に内蔵した図示しない駆動部と、他方の窓枠３−１に設けたロック片６で構成する。従って、このロック本体５はロック施錠、開錠機構１で可動（上下方向に移動）されることで、このロック本体５のロック爪５００が移動する。このロック爪５００の移動によりロック片６との係止、係脱が行われ、前記ロック部２の施錠・開錠が図れる。尚、ロック施錠、開錠機構１は、遠隔操作用として利用する。このロック施錠、開錠機構１は、例えば、図３−１の如く、開閉の二釦構造とすることで、構造の簡素化と、簡易な操作と、操作の誤りを回避する構造となっている。
【００５３】
尚、このロック施錠、開錠機構１及び／又はガラス８等に、振動センサー７（警報センサー）を付設することも可能であり、例えば、この振動センサー７を、前記ロック本体５及び／又は窓枠３、ガラス８等の何れかの箇所に単独及び／又は併用して設け、このロック本体５等への振動、破損等の障害が発生した段階で、警報を発するか、所定の箇所に異常を通知する等とすることで、例えば、防犯用としての利用、また施錠忘れ回避としての利用等が考えられる。
【００５４】
またロック施錠、開錠機構１の第１制御部１００は、図３−２の如く、開閉の二釦構造に別の機能を付与することも可能であり、例えば、後述する窓開閉機構１０の開閉をする二釦構造を採用した第２制御部１０００を併用すること、又は開放を示す開は釦の文字、全体等を青、閉塞を示す閉は釦の文字、全体等を赤などの如く識別する構造、図示の例の如く、形態を変更する構造等とする。何れにしても、間違いのない構造とすることが望ましい。その理由は、前述の他に、例えば、老人、障害者、痴呆症、或は子供等の如く、弱者や理解の困難な者でも間違いのないロック施錠、開錠機構１等の開閉操作が可能な構造が望ましい。
【００５５】
尚、図３−３に示すように窓開閉機構１０の開閉をする二釦構造とすることも可能であり、その効果は前述の例に準ずる。
【００５６】
〔２〕  本発明の窓９の開閉及び駆動部の制御を司る窓開閉機構１０（自動窓開閉装置）と、この窓開閉機構１０を動作する第２制御部（雨水センサー１８等）の関係を各実施例について説明する。
【００５７】
〔２−１〕  図４は請求項５に記載の第一の実施例であり、歯車、弾性体を使用した窓開閉機構１０である。この窓開閉機構１０は、窓９の開閉を司る駆動従動部を構成する框９０（建物、固定手段等の固定物、以下、省略する）に設けたプーリー１１（伝達手段）と、このプーリー１１に捲装し、かつ第１の歯車１２に捲装する弾性体１３と、この第１の歯車１２に噛合し、かつ前記窓９に軸支した第２の歯車１４と、この第２の歯車１４に軸支した第３の歯車１４０と、前記第２の歯車１４に噛合するバネ１９を備えたラチエット１５と、このラチエット１５の逆転防止用の爪１６で構成し、このプーリー１１からの動力を弾性体１３により第１の歯車１２と、第２の歯車１４に伝達する。そして、この第１の歯車１２の正逆転及び／又は停止で窓９を開閉する。またこの第２の歯車１４に軸承した第３の歯車１４０にはラチエット１５が噛合されており、この第２の歯車１４の停止時は、このラチエット１５に噛合する可動式の爪１６で固止される。また駆動主動部はモーター１７であり、このモーター１７の出力軸に前記プーリー１１が設けられている。またこのモーター１７の制動は、第２制御部の一例である雨水を感知する雨水センサー、温度センサー等のセンサー（以下、雨水センサー１８とする）、又は遠隔操作、タイマー等の手段で行われる。従って、雨水センサー１８が雨水を検知した状態で、モーター１７が駆動し、前述した駆動従動部の働きで（第２の歯車１４の回転で）、窓９が閉塞される。また温度センサーが所定以上の室内温度及び／又は外気温度等を検知した状態で、モーター１７が駆動し、前述した駆動従動部の働きで、窓９を開放及び／又は閉塞する。そして、この窓９の開閉を司るモーター１７の駆動は、第２制御部の一例である遠隔操作及び／又はタイマー等の自動制御による駆動及び／又は停止も可能である。そして、ラチエット１５の逆転は、爪１６の開放と、バネ１９の反発力を利用する。また前記雨水センサー１８は、雨水を感知する構造であり、例えば、降雨の際、雨水センサー１８により雨水を感知すると、通電するように設定されている。また雨水だけでなく、水滴にも反応することも可能であり、例え一滴の水滴でも、その水滴に反応できるので、漏れ、加湿等を防止できる。また温度センサーにて温度を測定し、室温が所定の温度領域より高い場合は窓を開くように通電し、低い場合は、窓を閉じるように通電する設定や、窓９が勝手に開いた場合にブザーが鳴る等の防犯センサーの設定も可能である。本発明の雨水センサーは図１２のように、非常に小型であり、外部に設置されていても体裁がよく、景観上の問題も無い。
【００５８】
次に窓９の開放を概述すると（回転等の機能は省略）、雨水センサー１８の検知（後述するタイマー、遠隔操作等もあり得る）→モーター１７の正転→プーリー１１→第１の歯車１２→弾性体１３→第２の歯車１４及び／又は第３の歯車１４０→ラチエット１５→バネ１９の緊締→ラチエット１５を停止する爪１６の係止と、前記モーター１７の停止である。また窓９の閉塞を概述すると、ラチエット１５に対する爪１６の係止解除と、バネ１９の反揆→ラチエット１５→第２の歯車１４及び／又は第３の歯車１４０の逆転（回転）→弾性体１３→第１の歯車１２→プーリー１１の空転→モーター１７の逆転或いは空転→バネ１９の反発終了（弛緩状態）→ラチエット１５を停止する爪１６による停止である。尚、窓９の開放は、タイマー、遠隔操作、手動（節電が可能である）等もあり得るが、この際に、モーター１７、プーリー１１の空転と爪１６の係止解除を確保することが望ましい。
【００５９】
尚、またタイマー設定、遠隔操作等の方法では、窓９の開閉時間の設定とは、何時何分に窓９を開放し（開き）、何時に窓９を閉塞（閉める）等の時間を設定する。例えば、午前７時に窓９を開放し、午後５時に窓９を閉塞するといった方法が可能である。また何時から何時間の開放等の設定も可能である。また窓９の開閉速度の設定とは、窓９の開閉速度を決めることができる設定であり、窓９のタイプによって開閉速度を変えることが可能である。例えば、窓枠３から外れやすい窓９であれば、開閉速度を遅くして窓９の外れを防止することができる。また窓９は人の手等に触れやすい場所にあり、自動開閉の速度には注意が必要であるので、開閉速度の変更で危険を回避することも可能である。この開閉速度の設定は、モーター１７の回転数の調整、バネ１９の反発力の調整、後述する他の実施例で磁石の反発力の調整等により行うことが可能である。尚、窓９の開閉位置の設定とは、窓９を全開と半開するか、また窓９の開放幅の設定等は自由であり、例えば、夏の暑い日は全開にし、冬の寒い日は少しだけ開放するように設定することも可能である。また換気の場合は少しだけ開放することも可能であり、短時間で一斉に空気を入れ換えたい時は、全開にする等の調整も簡易にできる。さらに開閉位置の設定方法としては、前記のように開閉速度の設定を変更することで、例えば、モーター１７の速度が毎秒３０回転時には３０秒間モーター１７を回転させる、モーター１７の速度が毎秒５０回転の時は２０秒間モーター１７を回転させることが可能であり、それにより一定距離動くことにより開閉位置の設定が可能である。また開閉位置センサーを設けて、例えば、窓枠３より３０ｃｍ位置での静止し、５０ｃｍ位置での静止等のように開放位置による設定も可能である。
【００６０】
〔２−２〕  図５は請求項６に記載の第二の実施例であり、伸縮杆を使用した窓開閉機構１０である。この窓開閉機構１０は、窓９の開閉を司る駆動従動部を構成する窓９に貼着する窓取付け部２１（窓枠３、ガラス８も可能である。例えば、吸盤が望ましい）と、この窓取付け部２１に連係する框９０に設けた入れ子式の伸縮杆２２と、この伸縮杆２２が収容される収容ケース２３と、又はこの収容ケース２３を窓９に取付ける基台２４で構成する。この例では、雨水センサー１８等の操作で駆動主動部を構成するモーター１７が正逆転し、このモーター１７の正逆転を介して伸縮杆２２を伸縮し、窓取付け部２１の前進後退を利用し、窓９の開閉を図る。そして、伸縮杆２２は収容ケース２３に収まる構成である。また収容ケース２３に窓９の開放端、閉塞端等の位置を決定するストッパー２５、２６等の停止手段を設けることで、窓９を開閉端、又は所定の位置に停止できる構成である（他の例も同じ）。そして、この例では、ストッパー２５により窓９の開放端で、またストッパー２６により同閉塞端で停止することと、同時にモーター１７の回転を停止する構成であり、例えば、安全が確保できること、窓９の開閉を確実に保持できること等の特徴がある。尚、その他の構成及び／又は作用等は前述の例に準ずる。
【００６１】
〔２−３〕  図６は請求項７に記載の第三の実施例であり、ラックを使用した窓開閉機構１０である。この窓開閉機構１０は、窓９の開閉を司る駆動従動部を構成する窓９に貼着する樹脂製、金属製等のラック３０と、このラック３０に噛合する框９０に設けたピニオン３１と、このピニオン３１を軸支できる框９０に設けた支持ケース３２と、ストッパー２５、２６等の停止手段で構成する。この例では、雨水センサー１８等の操作で駆動主動部を構成するモーター１７が正逆転し、このモーター１７の正逆転を介して框９０に設けた（固定側）ピニオン３１を正逆転する。そして、この例では、ピニオン３１が固定されているので、このピニオンと３１と噛合するラック３０が（建物及び／又は框９０に対して）開放又は閉塞方向に可動し、このラック３０の可動で窓９が開閉される構成である。そして、この例では、ラック３０をガラス８に貼着する構成であり、簡易にセット又はリセットできること、安価であること、素人でも容易に装着できること等の特徴がある。さらにこの例では支持ケース３２に設けたモーター１７の出力軸にピニオン３１を垂設し、このピニオン３１にガラス８に貼着したラック３０の歯３００（室内に向かって立設した）を噛合する構成とし、取付けの簡便化、保守管理の容易化等に寄与できる。尚、ピニオン３１、ラック３０の取付け、取付け部材等は一例である。またその他の構成及び／又は作用等は前述の例に準ずる。そして、この例では、窓９、駆動従動部等の確実な開閉と、その静寂な駆動及び／又は窓９の静寂な開閉が図れる特徴がある。
【００６２】
〔２−４〕  図７は請求項８に記載の第四の実施例であり、ネジ軸、ネジを備えた支承部を等使用した窓開閉機構１０である。この窓開閉機構１０は、窓９の開閉を司る駆動従動部を構成する窓９に貼着する樹脂製、金属製等の窓取付け部２１と、この窓取付け部２１に連係する框９０に設けた支承部３６と、この支承部３６のネジ（図示せず）に噛合する框９０に設けたネジ軸３５と、このネジ軸３５の一端に設けたプーリー３９と、このプーリー３９と框９０に設けたモーター１７の出力軸に固止したプーリー３８と、このプーリー３９、３８間に捲装したベルト３７と、前述の停止手段で構成する。この例では、雨水センサー１８等の操作で駆動主動部を構成するモーター１７が正逆転し、このモーター１７の正逆転を介してプーリー３８からベルト３７掛けしたプーリー３９を回転し、このプーリー３９の回転でネジ軸３５を正逆転する。このネジ軸３５の正逆転により支承部３６が前進後退（図面上で左右方向）し、この前進後退に倣って窓取付け部２１も同じ動きをすることから、窓９の開閉が行われる。この例では、框９０にストッパー２５、２６を設け、前述の例と同様に制御する。尚、その他の構成及び／又は作用等は前述の例に準ずる。図中４０は軸受けを示す。この例では、窓９の確実な開閉と、駆動従動部等の静寂な駆動及び／又は窓９の静寂な開閉が図れる特徴がある。
【００６３】
〔２−５〕  図８は請求項９に記載の第五の実施例であり、プーリー（ローラー等の伝道手段）、ベルトを備えた支承部等を使用した窓開閉機構１０である。この窓開閉機構１０は、窓９の開閉を司る駆動従動部を構成する窓９に貼着する樹脂製、金属製等の窓取付け部２１と、この窓取付け部２１に連係する框９０に設けたプーリー４１と、このプーリー４１に捲装したベルト４２と、このベルト４２が懸架されるプーリー４３と、前述の停止手段で構成する。この例では、雨水センサー１８等の操作で駆動主動部を構成するモーター１７が正逆転し、このモーター１７の正逆転で、プーリー４３と、このプーリー４３からベルト４２掛けしたプーリー４１を回転する。そして、このプーリー４３とプーリー４１の正逆転でベルト４２が前進後退する（開閉方向に移動する）。従って、このベルト４２に連係されている窓取付け部２１が前進後退するとともに、この窓取付け部２１の前進後退に倣って窓９の開閉が行われる。この例では、框９０にストッパー２５、２６を設け、前述の例と同様に制御する。尚、その他の構成及び／又は作用等は前述の例に準ずる。この例では、窓９の確実な開閉と、駆動従動部等の静寂な駆動及び／又は窓９の静寂な開閉が図れる特徴がある。
【００６４】
〔２−６〕  図９は請求項１０に記載の第六の実施例であり、磁石、電源等使用した窓開閉機構１０である。この窓開閉機構１０は、窓９の開閉を司る駆動従動部を構成する窓９に貼着する電磁石５０（一方側の第１の磁石）と、窓９に設けた窓取付け部２１と、この窓取付け部２１に連係する磁石５１と、前記電磁石５０のへの通電を図るＮＳ切換え用の機構５２で構成する。この例では、雨水センサー１８等の操作及び／又はＮＳ切換え用の機構５２を介して電磁石５０に通電及び／又は通電停止をし、他の磁石５１（他方側の第２の磁石）の吸引又は反発を利用し、窓取付け部２１の前進後退を図り、これにより窓９の開閉をする。この例では、框９０にストッパー２５、２６を設け、前述の例と同様に、開放し、閉塞端で停止（静止）できる。尚、その他の構成及び／又は作用等は前述の例に準ずる。この例では、窓９の確実な開閉と、駆動従動部等の静寂な駆動及び／又は窓９の静寂な開閉が図れる特徴がある。そして、この例では、電磁石５０への通電及び／又は通電停止で、任意の位置に窓９を停止できる特徴がある。またこの例では、タイマーと電磁石５０への通電及び／又は通電停止を利用するは、遠隔操作が不要の場合もありえる。また前記電磁石５０と磁石５１の磁気を遮断、切換え等するとともに、スプリング等の反発手段（図示せず）を介して窓９の閉塞又は開放等することも可能である。
【００６５】
尚、図１０に示した窓９については、框９０に本発明の窓開閉機構１０を設置することにより、窓９から外への移動の際、邪魔にならないようにすることもできる。また図１１〜図１３に示した洋風の家に多い出窓９ａにも簡易に取付けることが可能である。特に出窓９ａの場合には場所も取らず少量のスペースで足りるため、邪魔にならずに簡易に設置できる。図１２は出窓９ａを外から見た際の図であり、雨水センサー１８が外部に出ており、雨水の検出を行う。尚、各図では雨水センサー１８となっているが、雨水センサー１８だけでなく、太陽電池を取付けることも可能である。その際は同位置に取付けても別々に取付けてもよく、位置も特に限定されない。
【００６６】
図１４は本発明の回路模式図であり、６０は電池、６１はタイマー、温度センサー６２又は雨水センサー１８、振動センサー７等を示している。従って、例えば、設定時間になりタイマー６１が作動した場合、また温度センサー６２が一定の温度になった場合、雨水センサー１８で雨水を感知した場合、又は遠隔操作等によって通電するスイッチ６３が設けられている。図１５は従来の天窓９ｂについた雨水センサー１８を示す。この天窓９ｂに本発明が採用できることも勿論である。そして、場合により、出入り口の扉、ゲート等の開閉部に本発明を採用できることも勿論であり、またセンサー等は雨水センサー１８、振動センサー７、人的センサー、遠隔センサー等の各種のセンサーを単独使用するか、また併用するかは、例えば、警備状況、使用目的又は時機等を考慮して適宜選択する。そして、これらに遠隔操作等を組み合わせ使用することも可能である。
【００６７】
そして、本発明の特徴とする処は、自動開閉システムを既設の窓９、ガラス８、框９０にそれぞれ設置できるので、この窓９、ガラス８、框９０や建物等の有効利用と、コストの削減化、廃棄に伴う弊害の解除と、環境保護に役立つ等の有益性を有する。尚、新設の窓９、ガラス８、框９０や建物等にも利用できることは勿論である。
【図面の簡単な説明】
【００６８】
【図１】本発明のロック施錠、開錠機構の正面図
【図２】本発明のロック施錠、開錠機構の断面図
【図３−１】本発明のロック施錠、開錠機構の第１制御部の正面図
【図３−２】本発明のロック施錠、開錠機構の第１制御部と窓開閉機構の第２制御部とを併用した正面図
【図３−３】本発明の窓開閉機構の第２制御部の正面図
【図４】本発明の第一の実施例を表した模式図
【図５】本発明の第二の実施例を表した模式図
【図６】本発明の第三の実施例を表した模式図
【図７】本発明の第四の実施例を表した模式図
【図８】本発明の第五の実施例を表した模式図
【図９】本発明の第六の実施例を表した模式図
【図１０】本発明の実際の使用例を表した模式図
【図１１】本発明の実際の他の使用例を表した模式図
【図１２】本発明の実際のさらに他の使用例を表した模式図
【図１３】本発明の実際の別の使用例を表した模式図
【図１４】本発明の回路模式図を表した回路図
【図１５】従来例の天窓に本発明の雨水センサーを設置した模式図
【符号の説明】
【００６９】
１          ロック施錠、開錠機構
１００      第１制御部
２          ロック部
３          窓枠
３−１      他方の窓枠
４          基台
５          ロック本体
５００      ロック爪
６          ロック片
７          振動センサー
８          ガラス
９          窓
９ａ        出窓
９ｂ        天窓
９０        框
１０        窓開閉機構
１０００    第２制御部
１１        プーリー
１２        第１の歯車
１３        弾性体
１４        第２の歯車
１４０      第３の歯車
１５        ラチエット
１６        爪
１７        モーター
１８        雨水センサー
１９        バネ
２１        窓取付け部
２２        伸縮杆
２３        収容ケース
２４        基台
２５        ストッパー
２６        ストッパー
３０        ラック
３００      歯
３１        ピニオン
３２        支持ケース
３５        ネジ軸
３６        支承部
３７        ベルト
３８        プーリー
３９        プーリー
４０        軸受け
４１        プーリー
４２        ベルト
４３        プーリー
５０        電磁石
５１        磁石
５２        ＮＳ切換え用の機構
６０        電池
６１        タイマー
６２        温度センサー
６３        スイッチ
【図１】
2006194065.tif 000003
【図２】
2006194065.tif 000004
【図３−１】
2006194065.tif 000005
【図３−２】
2006194065.tif 000006
【図３−３】
2006194065.tif 000007
【図４】
2006194065.tif 000008
【図５】
2006194065.tif 000009
【図６】
2006194065.tif 000010
【図７】
2006194065.tif 000011
【図８】
2006194065.tif 000012
【図９】
2006194065.tif 000013
【図１０】
2006194065.tif 000014
【図１１】
2006194065.tif 000015
【図１２】
2006194065.tif 000016
【図１３】
2006194065.tif 000017
【図１４】
2006194065.tif 000018
【図１５】
2006194065.tif 000019
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
建物の窓に設けられた施錠及び／又は開錠用のロック本体とロック片でなるロック施錠、開錠機構と、前記窓の開閉を司る窓開閉機構とで構成した窓のロック及び／又は開閉を自動制御する窓の自動開閉システムであって、
このロック本体とロック片でなるロック施錠、開錠機構は、一方の窓の窓枠に開設された孔に取付けられる基台と、この基台に設けられたロック本体と、このロック本体を上下方向に可動する駆動部と、前記ロック本体の施錠、開錠を司る窓枠に設けたロック片とで構成し、
また前記窓開閉機構は、一方の窓に設けた駆動従動部と、窓枠に設けた駆動主動部と、この駆動主動部を駆動する駆動部と、この駆動部の停止を司る停止手段で構成し、
さらに前記窓開閉機構は、窓に貼着したラックと、このラックに噛合する窓の框に設けたピニオンと、このピニオンを駆動する正逆転モーターと、前記ピニオン及び／又はモーターを収める支持ケースと、この支持ケースに設けた対のストッパーとで構成し、
た窓のロック及び／又は開閉を自動制御する窓の自動開閉システム。
【請求項２】
請求項１に記載の窓開閉機構は、屋外に設置した雨水センサー、また室内の温度センサーの制御部で前記窓を作動する構成とした窓のロック及び／又は開閉を自動制御する窓の自動開閉システム。
【請求項３】
請求項１に記載の窓に振動センサーを設け、この振動センサーの動作で警報手段を作動する構成とした窓のロック及び／又は開閉を自動制御する窓の自動開閉システム。
【手続補正２】
【補正対象書類名】明細書
【補正対象項目名】全文
【補正方法】変更
【補正の内容】
【発明の詳細な説明】
【技術分野】
【０００１】
本発明は、窓のロック及び／又は開閉を自動制御する窓の自動開閉システムに関する。
【背景技術】
【０００２】
従来、建物や家屋には窓が設けてあり、特に洋風の家屋に窓及び／又は出窓・天窓等（窓とする）が設けられている。そして、この窓の開閉は、室内の換気・温度調整・風雨の遮断及び排煙等のために日常的に行われているのが現況である。また防犯の面からは施錠及び／又は閉塞が必須である。しかし、窓を開放した状態及び／又は閉塞を忘れたまま外出・就寝等することもあり、例えば、天候の急変、開放及び／又は閉塞が必要な場合における的確な処置が図れないこと、又は健康・体の調子等の面から開放及び／又は閉塞が必要な場合における処置が図れず問題があった。そして、殊に、障害者等の健常者以外では、この種の窓の施錠及び／又は開閉と、ロック等の面で手当てが必要な場合がある。以上のような見地から、一定の条件のもとで窓を自動的に開閉及び／又は施錠・開錠する装置が発明され出願されている。
【０００３】
文献１は、特開２００４−２５０９４６「引違い窓開閉装置」であり、閉窓時は、リモートコントプーリーの操作により駆動制御機構の電動モーターを駆動して一方向クラッチを介して窓を閉窓方向に変位させる。開窓時は、リモートコントプーリーの操作により開窓時にゼンマイばねの弾性力が解放されて窓を開窓方向に変位させる。一方向クラッチは、閉窓時のみに駆動歯車および支軸の回転力を駆動プーリーに伝達し、ギャドケーブル、取付板及びスライダーを介して窓を閉窓方向に自由にスライド変位させる。
【０００４】
文献２は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００５】
また文献３は、特開２００４−１３７８５１「引き違い戸用ロック装置」であり、引き違い戸の閉塞部近傍に取付け自在なロック装置本体及びロック部材と、このロック装置本体に設けたロック部材側へ出没することで該ロック部材との間で引き違い戸を施錠及び解錠するロック杆と、リモコン装置の施錠及び解錠信号で前記ロック杆を動作する制御手段と、前記引き違い戸に加わる異常な振動を検知して異常信号を発生する振動検知手段で構成する。この構成により、業者に取り付け工事を依頼するロック装置に比べて経費の削減が図れ、異常信号により警報を発し、ガラスを破って侵入する窃盗犯にも有効であることを特徴とする。
【０００６】
さらに文献４は、実開平７−２６５６９「引き戸式自動開閉窓」であり、電源に接続したリモコン回路、タイマー、また雨滴検知の湿度センサー、温度センサーのセンサーと、駆動モーター並びに駆動伝達部等を内蔵したボックスと、家屋の窓の窓外枠又はかまちの左右の中心部付近の位置に固定した窓開閉部を設け、この駆動伝達端と窓開閉部とを、遠隔操作スイッチの入力及び／又はセンサーの検知、また操作盤の入力で前記リモコン回路又はタイマーの作動に伴ってモーターが作動し、窓が自動的に開閉するように構成し、携帯用遠隔操作スイッチを用いて自動的に開閉できる窓、並びにタイマー、雨滴検知の湿度センサー、温度センサー等の自動作動で窓が自動的に閉塞できる引き戸式自動開閉窓を提供できる特徴がある。
【０００７】
【特許文献１】特開２００４−２５０９４６
【特許文献２】特開２０００−３１００６８
【特許文献３】特開２００４−１３７８５１
【特許文献４】実開平７−２６５６９
【発明の開示】
【発明が解決しようとする課題】
【０００８】
文献１は、遠隔操作により窓を自動的に開閉できるが、構成が複雑であり、製造が困難であること、構造が大型化することから、窓には一定の大きさが必要となり、設置に問題を残すこと、また雨水センサー等のセンサーが装備されておらず、天候の変化に対応できないこと、防犯機能がないこと等の課題がある。
【０００９】
文献２は、窓の自動開放が可能であるが、詳細な構成が記載されておらず、発明の構成要件を具備しておらず、課題が残る。
【００１０】
文献３は、ロック装置は、窓枠に別体のロック装置本体を連動し、かつこの別体のロック装置本体を設置する構成であることから、構造が複雑となること、コストの上昇を招来すること等の問題がある。そして、前記構造の複雑化と相俟って、さらに別体のロック装置本体の設置に、新たな手段を必要とすることから、一層の複雑化とコストの上昇に滑車をかける虞がある。尚、この発明は、引き違い戸のロックの施錠及び／又は開錠に留まり、他の目的を達成できず改良の余地がある。
【００１１】
また文献４は、各種のセンサー、遠隔操作スイッチを用いて自動的に開閉できる窓等に関する考案であり、他の目的を達成できず改良の余地がある。また窃盗、盗難等の犯罪時に関する手当てが無く、一面的な改良に留まっている。
【００１２】
上記に鑑み、本発明は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞を図ることを意図する。そして、既設の窓にも簡易かつ確実に取付けできること、また部品点数を少なくし製造の容易化を図ること、殊に洋風の家の窓（出窓等）に取付けが可能な構造を提供すること等を意図する。また「２」  ロック部の自動開錠及び／又は施錠と、雨水センサー等のセンサーにより外出中、就寝中、子供の留守番の状態、幼児を置いた状態等において、窓が開放されていても自動で閉塞（閉窓）が可能であり（逆の動作も同じ）、急な天候の変化に対応できること、また防犯性の向上に寄与できること、安心して外出できること等を意図する。
そして、「３」  障害者、子供等に優しい、窓の開閉及び／又は閉塞手段を提供すること
を意図する。
【課題を解決するための手段】
【００１３】
請求項１の発明は、ロック施錠、開錠機構及び／又は第２制御部と、制御部で、施錠及び／又は開錠と、窓の開閉を図ることで、前述した「１」〜「３」の目的を達成することを意図する。そして、この目的を簡単な装置で達成すること、また既設の窓に簡易に取付け得ること等を意図する。またこの請求項１の発明では、窓、窓開閉機構等の確実な開閉と、その静寂な駆動及び／又は窓の静寂な開閉を図ることを意図する。
【００１４】
請求項１は、建物の窓に設けられた施錠及び／又は開錠用のロック本体とロック片でなるロック施錠、開錠機構と、前記窓の開閉を司る窓開閉機構とで構成した窓のロック及び／又は開閉を自動制御する窓の自動開閉システムであって、
このロック本体とロック片でなるロック施錠、開錠機構は、一方の窓の窓枠に開設された孔に取付けられる基台と、この基台に設けられたロック本体と、このロック本体を上下方向に可動する駆動部と、前記ロック本体の施錠、開錠を司る窓枠に設けたロック片とで構成し、
また前記窓開閉機構は、一方の窓に設けた駆動従動部と、窓枠に設けた駆動主動部と、この駆動主動部を駆動する駆動部と、この駆動部の停止を司る停止手段で構成し、
さらに前記窓開閉機構は、窓に貼着したラックと、このラックに噛合する窓の框に設けたピニオンと、このピニオンを駆動する正逆転モーターと、前記ピニオン及び／又はモーターを収める支持ケースと、この支持ケースに設けた対のストッパーとで構成し、
た窓のロック及び／又は開閉を自動制御する窓の自動開閉システムである。
【００１５】
請求項２の発明は、請求項１の目的を達成すること、この目的を達成するのに最適な第２制御部を提供することを意図する。
【００１６】
【００１７】
【００１８】
請求項３の発明は、請求項１の目的を達成すること、さらに他の目的を達成するために窓に振動センサーを付設することを意図する。
【００１９】
請求項３は、請求項１に記載の窓に振動センサーを設け、この振動センサーの動作で警報手段を作動することを特徴とする窓の自動開閉システムである。
【００２０】
【００２１】
【００２２】
【００２３】
【００２４】
【００２５】
【００２６】
【００２７】
【００２８】
【００２９】
【００３０】
【００３１】
【発明の効果】
【００３２】
請求項１の発明は、建物の窓に設けられた施錠及び／又は開錠用のロック本体とロック片でなるロック施錠、開錠機構と、窓の開閉を司る窓開閉機構とで構成した窓のロック及び／又は開閉を自動制御する窓の自動開閉システムであって、
ロック本体とロック片でなるロック施錠、開錠機構は、一方の窓の窓枠に開設された孔に取付けられる基台と、基台に設けられたロック本体と、ロック本体を上下方向に可動する駆動部と、ロック本体の施錠、開錠を司る窓枠に設けたロック片とで構成し、
また窓開閉機構は、一方の窓に設けた駆動従動部と、窓枠に設けた駆動主動部と、駆動主動部を駆動する駆動部と、駆動部の停止を司る停止手段で構成し、
さらに窓開閉機構は、窓に貼着したラックと、ラックに噛合する窓の框に設けたピニオンと、ピニオンを駆動する正逆転モーターと、ピニオン及び／又はモーターを収める支持ケースと、支持ケースに設けた対のストッパーとで構成し、
た窓のロック及び／又は開閉を自動制御する窓の自動開閉システムである。
【００３３】
従って、請求項１は、ロック施錠、開錠機構及び／又は第２制御部と、制御部で、施錠及び／又は開錠と、窓の開閉が図れることで、前述した「１」〜「３」の目的を達成できる特徴がある。そして、この目的を簡単な装置で達成できること、また既設の窓に簡易に取付け得ること等の実益がある。またこの請求項１は、窓、窓開閉機構等の確実な開閉と、その静寂な駆動及び／又は窓の静寂な開閉が図れること等の実益を有する。
【００３４】
請求項２の発明は、請求項１に記載の窓開閉機構は、屋外に設置した雨水センサー、また室内の温度センサーの制御部で窓を作動する構成とした窓の自動開閉システムである。
【００３５】
従って、請求項２は、請求項１の目的を達成できること、この目的を達成するのに最適な第２制御部を提供できること等の特徴がある。
【００３６】
【００３７】
請求項４の発明は、請求項１に記載の窓に振動センサーを設け、振動センサーの動作で警報手段を作動する窓の自動開閉システムである。
【００３８】
従って、請求項４は、請求項１の目的を達成できること、さらに他の目的を達成するために窓に振動センサーを付設できること等の特徴がある。
【００３９】
【００４０】
【００４１】
【００４２】
【００４３】
【００４４】
【００４５】
【００４６】
【００４７】
【００４８】
【００４９】
【００５０】
【発明を実施するための最良の形態】
【００５１】
本発明の各実施例を図面を基に説明する。
【００５２】
〔１〕  本発明の自動ロック施錠・開錠装置のロック施錠、開錠機構１と、ロック部２の関係を説明する。そして、このロック施錠、開錠機構１は、ロック部２の施錠・開錠を司る構造であり、この例では、ロック部２は、窓枠３に開設した従来の孔を利用して取付けられた基台４と、この基台４に蟻溝嵌合等のガイド機構を介して昇降自在に設けられたロック本体５と、このロック本体５を可動する基台４に内蔵した図示しない駆動部と、他方の窓枠３−１に設けたロック片６で構成する。従って、このロック本体５はロック施錠、開錠機構１で可動（上下方向に移動）されることで、このロック本体５のロック爪５００が移動する。このロック爪５００の移動によりロック片６との係止、係脱が行われ、前記ロック部２の施錠・開錠が図れる。尚、ロック施錠、開錠機構１は、遠隔操作用として利用する。このロック施錠、開錠機構１は、例えば、図３−１の如く、開閉の二釦構造とすることで、構造の簡素化と、簡易な操作と、操作の誤りを回避する構造となっている。
【００５３】
尚、このロック施錠、開錠機構１及び／又はガラス８等に、振動センサー７（警報センサー）を付設することも可能であり、例えば、この振動センサー７を、前記ロック本体５及び／又は窓枠３、ガラス８等の何れかの箇所に単独及び／又は併用して設け、このロック本体５等への振動、破損等の障害が発生した段階で、警報を発するか、所定の箇所に異常を通知する等とすることで、例えば、防犯用としての利用、また施錠忘れ回避としての利用等が考えられる。
【００５４】
またロック施錠、開錠機構１の第１制御部１００は、図３−２の如く、開閉の二釦構造に別の機能を付与することも可能であり、例えば、後述する窓開閉機構１０の開閉をする二釦構造を採用した第２制御部１０００を併用すること、又は開放を示す開は釦の文字、全体等を青、閉塞を示す閉は釦の文字、全体等を赤などの如く識別する構造、図示の例の如く、形態を変更する構造等とする。何れにしても、間違いのない構造とすることが望ましい。その理由は、前述の他に、例えば、老人、障害者、痴呆症、或は子供等の如く、弱者や理解の困難な者でも間違いのないロック施錠、開錠機構１等の開閉操作が可能な構造が望ましい。
【００５５】
尚、図３−３に示すように窓開閉機構１０の開閉をする二釦構造とすることも可能であり、その効果は前述の例に準ずる。
【００５６】
〔２〕  本発明の窓９の開閉及び駆動部の制御を司る窓開閉機構１０（自動窓開閉装置）と、この窓開閉機構１０を動作する第２制御部（雨水センサー１８等）の関係を各実施例について説明する。
【００５７】
〔２−１〕  図４は第一の実施例であり、歯車、弾性体を使用した窓開閉機構１０である。この窓開閉機構１０は、窓９の開閉を司る駆動従動部を構成する框９０（建物、固定手段等の固定物、以下、省略する）に設けたプーリー１１（伝達手段）と、このプーリー１１に捲装し、かつ第１の歯車１２に捲装する弾性体１３と、この第１の歯車１２に噛合し、かつ前記窓９に軸支した第２の歯車１４と、この第２の歯車１４に軸支した第３の歯車１４０と、前記第２の歯車１４に噛合するバネ１９を備えたラチエット１５と、このラチエット１５の逆転防止用の爪１６で構成し、このプーリー１１からの動力を弾性体１３により第１の歯車１２と、第２の歯車１４に伝達する。そして、この第１の歯車１２の正逆転及び／又は停止で窓９を開閉する。またこの第２の歯車１４に軸承した第３の歯車１４０にはラチエット１５が噛合されており、この第２の歯車１４の停止時は、このラチエット１５に噛合する可動式の爪１６で固止される。また駆動主動部はモーター１７であり、このモーター１７の出力軸に前記プーリー１１が設けられている。またこのモーター１７の制動は、第２制御部の一例である雨水を感知する雨水センサー、温度センサー等のセンサー（以下、雨水センサー１８とする）、又は遠隔操作、タイマー等の手段で行われる。従って、雨水センサー１８が雨水を検知した状態で、モーター１７が駆動し、前述した駆動従動部の働きで（第２の歯車１４の回転で）、窓９が閉塞される。また温度センサーが所定以上の室内温度及び／又は外気温度等を検知した状態で、モーター１７が駆動し、前述した駆動従動部の働きで、窓９を開放及び／又は閉塞する。そして、この窓９の開閉を司るモーター１７の駆動は、第２制御部の一例である遠隔操作及び／又はタイマー等の自動制御による駆動及び／又は停止も可能である。そして、ラチエット１５の逆転は、爪１６の開放と、バネ１９の反発力を利用する。また前記雨水センサー１８は、雨水を感知する構造であり、例えば、降雨の際、雨水センサー１８により雨水を感知すると、通電するように設定されている。また雨水だけでなく、水滴にも反応することも可能であり、例え一滴の水滴でも、その水滴に反応できるので、漏れ、加湿等を防止できる。また温度センサーにて温度を測定し、室温が所定の温度領域より高い場合は窓を開くように通電し、低い場合は、窓を閉じるように通電する設定や、窓９が勝手に開いた場合にブザーが鳴る等の防犯センサーの設定も可能である。本発明の雨水センサーは図１２のように、非常に小型であり、外部に設置されていても体裁がよく、景観上の問題も無い。
【００５８】
次に窓９の開放を概述すると（回転等の機能は省略）、雨水センサー１８の検知（後述するタイマー、遠隔操作等もあり得る）→モーター１７の正転→プーリー１１→第１の歯車１２→弾性体１３→第２の歯車１４及び／又は第３の歯車１４０→ラチエット１５→バネ１９の緊締→ラチエット１５を停止する爪１６の係止と、前記モーター１７の停止である。また窓９の閉塞を概述すると、ラチエット１５に対する爪１６の係止解除と、バネ１９の反揆→ラチエット１５→第２の歯車１４及び／又は第３の歯車１４０の逆転（回転）→弾性体１３→第１の歯車１２→プーリー１１の空転→モーター１７の逆転或いは空転→バネ１９の反発終了（弛緩状態）→ラチエット１５を停止する爪１６による停止である。尚、窓９の開放は、タイマー、遠隔操作、手動（節電が可能である）等もあり得るが、この際に、モーター１７、プーリー１１の空転と爪１６の係止解除を確保することが望ましい。
【００５９】
尚、またタイマー設定、遠隔操作等の方法では、窓９の開閉時間の設定とは、何時何分に窓９を開放し（開き）、何時に窓９を閉塞（閉める）等の時間を設定する。例えば、午前７時に窓９を開放し、午後５時に窓９を閉塞するといった方法が可能である。また何時から何時間の開放等の設定も可能である。また窓９の開閉速度の設定とは、窓９の開閉速度を決めることができる設定であり、窓９のタイプによって開閉速度を変えることが可能である。例えば、窓枠３から外れやすい窓９であれば、開閉速度を遅くして窓９の外れを防止することができる。また窓９は人の手等に触れやすい場所にあり、自動開閉の速度には注意が必要であるので、開閉速度の変更で危険を回避することも可能である。この開閉速度の設定は、モーター１７の回転数の調整、バネ１９の反発力の調整、後述する他の実施例で磁石の反発力の調整等により行うことが可能である。尚、窓９の開閉位置の設定とは、窓９を全開と半開するか、また窓９の開放幅の設定等は自由であり、例えば、夏の暑い日は全開にし、冬の寒い日は少しだけ開放するように設定することも可能である。また換気の場合は少しだけ開放することも可能であり、短時間で一斉に空気を入れ換えたい時は、全開にする等の調整も簡易にできる。さらに開閉位置の設定方法としては、前記のように開閉速度の設定を変更することで、例えば、モーター１７の速度が毎秒３０回転時には３０秒間モーター１７を回転させる、モーター１７の速度が毎秒５０回転の時は２０秒間モーター１７を回転させることが可能であり、それにより一定距離動くことにより開閉位置の設定が可能である。また開閉位置センサーを設けて、例えば、窓枠３より３０ｃｍ位置での静止し、５０ｃｍ位置での静止等のように開放位置による設定も可能である。
【００６０】
〔２−２〕  図５は第二の実施例であり、伸縮杆を使用した窓開閉機構１０である。この窓開閉機構１０は、窓９の開閉を司る駆動従動部を構成する窓９に貼着する窓取付け部２１（窓枠３、ガラス８も可能である。例えば、吸盤が望ましい）と、この窓取付け部２１に連係する框９０に設けた入れ子式の伸縮杆２２と、この伸縮杆２２が収容される収容ケース２３と、又はこの収容ケース２３を窓９に取付ける基台２４で構成する。この例では、雨水センサー１８等の操作で駆動主動部を構成するモーター１７が正逆転し、このモーター１７の正逆転を介して伸縮杆２２を伸縮し、窓取付け部２１の前進後退を利用し、窓９の開閉を図る。そして、伸縮杆２２は収容ケース２３に収まる構成である。また収容ケース２３に窓９の開放端、閉塞端等の位置を決定するストッパー２５、２６等の停止手段を設けることで、窓９を開閉端、又は所定の位置に停止できる構成である（他の例も同じ）。そして、この例では、ストッパー２５により窓９の開放端で、またストッパー２６により同閉塞端で停止することと、同時にモーター１７の回転を停止する構成であり、例えば、安全が確保できること、窓９の開閉を確実に保持できること等の特徴がある。尚、その他の構成及び／又は作用等は前述の例に準ずる。
【００６１】
〔２−３〕  図６は第三の実施例であり、ラックを使用した窓開閉機構１０である。この窓開閉機構１０は、窓９の開閉を司る駆動従動部を構成する窓９に貼着する樹脂製、金属製等のラック３０と、このラック３０に噛合する框９０に設けたピニオン３１と、このピニオン３１を軸支できる框９０に設けた支持ケース３２と、ストッパー２５、２６等の停止手段で構成する。この例では、雨水センサー１８等の操作で駆動主動部を構成するモーター１７が正逆転し、このモーター１７の正逆転を介して框９０に設けた（固定側）ピニオン３１を正逆転する。そして、この例では、ピニオン３１が固定されているので、このピニオンと３１と噛合するラック３０が（建物及び／又は框９０に対して）開放又は閉塞方向に可動し、このラック３０の可動で窓９が開閉される構成である。そして、この例では、ラック３０をガラス８に貼着する構成であり、簡易にセット又はリセットできること、安価であること、素人でも容易に装着できること等の特徴がある。さらにこの例では支持ケース３２に設けたモーター１７の出力軸にピニオン３１を垂設し、このピニオン３１にガラス８に貼着したラック３０の歯３００（室内に向かって立設した）を噛合する構成とし、取付けの簡便化、保守管理の容易化等に寄与できる。尚、ピニオン３１、ラック３０の取付け、取付け部材等は一例である。またその他の構成及び／又は作用等は前述の例に準ずる。そして、この例では、窓９、駆動従動部等の確実な開閉と、その静寂な駆動及び／又は窓９の静寂な開閉が図れる特徴がある。
【００６２】
〔２−４〕  図７は第四の実施例であり、ネジ軸、ネジを備えた支承部を等使用した窓開閉機構１０である。この窓開閉機構１０は、窓９の開閉を司る駆動従動部を構成する窓９に貼着する樹脂製、金属製等の窓取付け部２１と、この窓取付け部２１に連係する框９０に設けた支承部３６と、この支承部３６のネジ（図示せず）に噛合する框９０に設けたネジ軸３５と、このネジ軸３５の一端に設けたプーリー３９と、このプーリー３９と框９０に設けたモーター１７の出力軸に固止したプーリー３８と、このプーリー３９、３８間に捲装したベルト３７と、前述の停止手段で構成する。この例では、雨水センサー１８等の操作で駆動主動部を構成するモーター１７が正逆転し、このモーター１７の正逆転を介してプーリー３８からベルト３７掛けしたプーリー３９を回転し、このプーリー３９の回転でネジ軸３５を正逆転する。このネジ軸３５の正逆転により支承部３６が前進後退（図面上で左右方向）し、この前進後退に倣って窓取付け部２１も同じ動きをすることから、窓９の開閉が行われる。この例では、框９０にストッパー２５、２６を設け、前述の例と同様に制御する。尚、その他の構成及び／又は作用等は前述の例に準ずる。図中４０は軸受けを示す。この例では、窓９の確実な開閉と、駆動従動部等の静寂な駆動及び／又は窓９の静寂な開閉が図れる特徴がある。
【００６３】
〔２−５〕  図８は第五の実施例であり、プーリー（ローラー等の伝道手段）、ベルトを備えた支承部等を使用した窓開閉機構１０である。この窓開閉機構１０は、窓９の開閉を司る駆動従動部を構成する窓９に貼着する樹脂製、金属製等の窓取付け部２１と、この窓取付け部２１に連係する框９０に設けたプーリー４１と、このプーリー４１に捲装したベルト４２と、このベルト４２が懸架されるプーリー４３と、前述の停止手段で構成する。この例では、雨水センサー１８等の操作で駆動主動部を構成するモーター１７が正逆転し、このモーター１７の正逆転で、プーリー４３と、このプーリー４３からベルト４２掛けしたプーリー４１を回転する。そして、このプーリー４３とプーリー４１の正逆転でベルト４２が前進後退する（開閉方向に移動する）。従って、このベルト４２に連係されている窓取付け部２１が前進後退するとともに、この窓取付け部２１の前進後退に倣って窓９の開閉が行われる。この例では、框９０にストッパー２５、２６を設け、前述の例と同様に制御する。尚、その他の構成及び／又は作用等は前述の例に準ずる。この例では、窓９の確実な開閉と、駆動従動部等の静寂な駆動及び／又は窓９の静寂な開閉が図れる特徴がある。
【００６４】
〔２−６〕  図９は第六の実施例であり、磁石、電源等使用した窓開閉機構１０である。この窓開閉機構１０は、窓９の開閉を司る駆動従動部を構成する窓９に貼着する電磁石５０（一方側の第１の磁石）と、窓９に設けた窓取付け部２１と、この窓取付け部２１に連係する磁石５１と、前記電磁石５０のへの通電を図るＮＳ切換え用の機構５２で構成する。この例では、雨水センサー１８等の操作及び／又はＮＳ切換え用の機構５２を介して電磁石５０に通電及び／又は通電停止をし、他の磁石５１（他方側の第２の磁石）の吸引又は反発を利用し、窓取付け部２１の前進後退を図り、これにより窓９の開閉をする。この例では、框９０にストッパー２５、２６を設け、前述の例と同様に、開放し、閉塞端で停止（静止）できる。尚、その他の構成及び／又は作用等は前述の例に準ずる。この例では、窓９の確実な開閉と、駆動従動部等の静寂な駆動及び／又は窓９の静寂な開閉が図れる特徴がある。そして、この例では、電磁石５０への通電及び／又は通電停止で、任意の位置に窓９を停止できる特徴がある。またこの例では、タイマーと電磁石５０への通電及び／又は通電停止を利用するは、遠隔操作が不要の場合もありえる。また前記電磁石５０と磁石５１の磁気を遮断、切換え等するとともに、スプリング等の反発手段（図示せず）を介して窓９の閉塞又は開放等することも可能である。
【００６５】
尚、図１０に示した窓９については、框９０に本発明の窓開閉機構１０を設置することにより、窓９から外への移動の際、邪魔にならないようにすることもできる。また図１１〜図１３に示した洋風の家に多い出窓９ａにも簡易に取付けることが可能である。特に出窓９ａの場合には場所も取らず少量のスペースで足りるため、邪魔にならずに簡易に設置できる。図１２は出窓９ａを外から見た際の図であり、雨水センサー１８が外部に出ており、雨水の検出を行う。尚、各図では雨水センサー１８となっているが、雨水センサー１８だけでなく、太陽電池を取付けることも可能である。その際は同位置に取付けても別々に取付けてもよく、位置も特に限定されない。
【００６６】
図１４は本発明の回路模式図であり、６０は電池、６１はタイマー、温度センサー６２又は雨水センサー１８、振動センサー７等を示している。従って、例えば、設定時間になりタイマー６１が作動した場合、また温度センサー６２が一定の温度になった場合、雨水センサー１８で雨水を感知した場合、又は遠隔操作等によって通電するスイッチ６３が設けられている。図１５は従来の天窓９ｂについた雨水センサー１８を示す。この天窓９ｂに本発明が採用できることも勿論である。そして、場合により、出入り口の扉、ゲート等の開閉部に本発明を採用できることも勿論であり、またセンサー等は雨水センサー１８、振動センサー７、人的センサー、遠隔センサー等の各種のセンサーを単独使用するか、また併用するかは、例えば、警備状況、使用目的又は時機等を考慮して適宜選択する。そして、これらに遠隔操作等を組み合わせ使用することも可能である。
【００６７】
そして、本発明の特徴とする処は、自動開閉システムを既設の窓９、ガラス８、框９０にそれぞれ設置できるので、この窓９、ガラス８、框９０や建物等の有効利用と、コストの削減化、廃棄に伴う弊害の解除と、環境保護に役立つ等の有益性を有する。尚、新設の窓９、ガラス８、框９０や建物等にも利用できることは勿論である。
【図面の簡単な説明】
【００６８】
【図１】本発明のロック施錠、開錠機構の正面図
【図２】本発明のロック施錠、開錠機構の断面図
【図３−１】本発明のロック施錠、開錠機構の第１制御部の正面図
【図３−２】本発明のロック施錠、開錠機構の第１制御部と窓開閉機構の第２制御部とを併用した正面図
【図３−３】本発明の窓開閉機構の第２制御部の正面図
【図４】本発明の第一の実施例を表した模式図
【図５】本発明の第二の実施例を表した模式図
【図６】本発明の第三の実施例を表した模式図
【図７】本発明の第四の実施例を表した模式図
【図８】本発明の第五の実施例を表した模式図
【図９】本発明の第六の実施例を表した模式図
【図１０】本発明の実際の使用例を表した模式図
【図１１】本発明の実際の他の使用例を表した模式図
【図１２】本発明の実際のさらに他の使用例を表した模式図
【図１３】本発明の実際の別の使用例を表した模式図
【図１４】本発明の回路模式図を表した回路図
【図１５】従来例の天窓に本発明の雨水センサーを設置した模式図
【符号の説明】
【００６９】
１          ロック施錠、開錠機構
１００      第１制御部
２          ロック部
３          窓枠
３−１      他方の窓枠
４          基台
５          ロック本体
５００      ロック爪
６          ロック片
７          振動センサー
８          ガラス
９          窓
９ａ        出窓
９ｂ        天窓
９０        框
１０        窓開閉機構
１０００    第２制御部
１１        プーリー
１２        第１の歯車
１３        弾性体
１４        第２の歯車
１４０      第３の歯車
１５        ラチエット
１６        爪
１７        モーター
１８        雨水センサー
１９        バネ
２１        窓取付け部
２２        伸縮杆
２３        収容ケース
２４        基台
２５        ストッパー
２６        ストッパー
３０        ラック
３００      歯
３１        ピニオン
３２        支持ケース
３５        ネジ軸
３６        支承部
３７        ベルト
３８        プーリー
３９        プーリー
４０        軸受け
４１        プーリー
４２        ベルト
４３        プーリー
５０        電磁石
５１        磁石
５２        ＮＳ切換え用の機構
６０        電池
６１        タイマー
６２        温度センサー
６３        スイッチ
【手続補正書】
【提出日】平成18年2月10日(2006.2.10)
【手続補正１】
【補正対象書類名】特許請求の範囲
【補正対象項目名】全文
【補正方法】変更
【補正の内容】
【特許請求の範囲】
【請求項１】
建物の窓に設けられた施錠及び／又は開錠用のロック本体とロック片でなるロック施錠、開錠機構と、前記窓の開閉を司る窓開閉機構とで構成した窓のロック及び／又は開閉を自動制御する窓の自動開閉システムであって、
このロック本体とロック片でなるロック施錠、開錠機構は、一方の窓の窓枠に開設された孔に取付けられる基台と、この基台に設けられたロック本体と、このロック本体を上下方向に可動する駆動部と、前記ロック本体の施錠、開錠を司る窓枠に設けたロック片とで構成し、
また前記窓開閉機構は、一方の窓に設けた駆動従動部と、窓枠に設けた駆動主動部と、この駆動主動部を駆動する駆動部と、この駆動部の停止を司る停止手段で構成し、
さらに前記窓開閉機構は、窓に貼着したラックと、このラックに噛合する窓の框に設けたピニオンと、このピニオンを駆動する正逆転モーターと、前記ピニオン及び／又はモーターを収める支持ケースと、この支持ケースに設けた対のストッパーとで構成し、
た窓のロック及び／又は開閉を自動制御する窓の自動開閉システム。
【請求項２】
請求項１に記載の窓開閉機構は、屋外に設置した雨水センサー、または室内の温度センサーの制御部で前記窓を作動する構成とした窓のロック及び／又は開閉を自動制御する窓の自動開閉システム。
【請求項３】
請求項１に記載の窓に振動センサーを設け、この振動センサーの動作で警報手段を作動する構成とした窓のロック及び／又は開閉を自動制御する窓の自動開閉システム。
【手続補正２】
【補正対象書類名】明細書
【補正対象項目名】全文
【補正方法】変更
【補正の内容】
【発明の詳細な説明】
【技術分野】
【０００１】
本発明は、窓のロック及び／又は開閉を自動制御する窓の自動開閉システムに関する。
【背景技術】
【０００２】
従来、建物や家屋には窓が設けてあり、特に洋風の家屋に窓及び／又は出窓・天窓等（窓とする）が設けられている。そして、この窓の開閉は、室内の換気・温度調整・風雨の遮断及び排煙等のために日常的に行われているのが現況である。また防犯の面からは施錠及び／又は閉塞が必須である。しかし、窓を開放した状態及び／又は閉塞を忘れたまま外出・就寝等することもあり、例えば、天候の急変、開放及び／又は閉塞が必要な場合における的確な処置が図れないこと、又は健康・体の調子等の面から開放及び／又は閉塞が必要な場合における処置が図れず問題があった。そして、殊に、障害者等の健常者以外では、この種の窓の施錠及び／又は開閉と、ロック等の面で手当てが必要な場合がある。以上のような見地から、一定の条件のもとで窓を自動的に開閉及び／又は施錠・開錠する装置が発明され出願されている。
【０００３】
文献１は、特開２００４−２５０９４６「引違い窓開閉装置」であり、閉窓時は、リモートコントプーリーの操作により駆動制御機構の電動モーターを駆動して一方向クラッチを介して窓を閉窓方向に変位させる。開窓時は、リモートコントプーリーの操作により開窓時にゼンマイばねの弾性力が解放されて窓を開窓方向に変位させる。一方向クラッチは、閉窓時のみに駆動歯車および支軸の回転力を駆動プーリーに伝達し、ギャドケーブル、取付板及びスライダーを介して窓を閉窓方向に自由にスライド変位させる。
【０００４】
文献２は、特開２０００−３１００６８「窓ロック自動開放装置」であり、窓ロック部を自動で解錠する自動解錠機構と、窓を自動で開放する自動開放機構と、窓ロック部の自動解錠後に窓を自動開放させる制御回路とを備えたことを特徴とする構成である。
【０００５】
また文献３は、特開２００４−１３７８５１「引き違い戸用ロック装置」であり、引き違い戸の閉塞部近傍に取付け自在なロック装置本体及びロック部材と、このロック装置本体に設けたロック部材側へ出没することで該ロック部材との間で引き違い戸を施錠及び解錠するロック杆と、リモコン装置の施錠及び解錠信号で前記ロック杆を動作する制御手段と、前記引き違い戸に加わる異常な振動を検知して異常信号を発生する振動検知手段で構成する。この構成により、業者に取り付け工事を依頼するロック装置に比べて経費の削減が図れ、異常信号により警報を発し、ガラスを破って侵入する窃盗犯にも有効であることを特徴とする。
【０００６】
さらに文献４は、実開平７−２６５６９「引き戸式自動開閉窓」であり、電源に接続したリモコン回路、タイマー、また雨滴検知の湿度センサー、温度センサーのセンサーと、駆動モーター並びに駆動伝達部等を内蔵したボックスと、家屋の窓の窓外枠又はかまちの左右の中心部付近の位置に固定した窓開閉部を設け、この駆動伝達端と窓開閉部とを、遠隔操作スイッチの入力及び／又はセンサーの検知、また操作盤の入力で前記リモコン回路又はタイマーの作動に伴ってモーターが作動し、窓が自動的に開閉するように構成し、携帯用遠隔操作スイッチを用いて自動的に開閉できる窓、並びにタイマー、雨滴検知の湿度センサー、温度センサー等の自動作動で窓が自動的に閉塞できる引き戸式自動開閉窓を提供できる特徴がある。
【０００７】
【特許文献１】特開２００４−２５０９４６
【特許文献２】特開２０００−３１００６８
【特許文献３】特開２００４−１３７８５１
【特許文献４】実開平７−２６５６９
【発明の開示】
【発明が解決しようとする課題】
【０００８】
文献１は、遠隔操作により窓を自動的に開閉できるが、構成が複雑であり、製造が困難であること、構造が大型化することから、窓には一定の大きさが必要となり、設置に問題を残すこと、また雨水センサー等のセンサーが装備されておらず、天候の変化に対応できないこと、防犯機能がないこと等の課題がある。
【０００９】
文献２は、窓の自動開放が可能であるが、詳細な構成が記載されておらず、発明の構成要件を具備しておらず、課題が残る。
【００１０】
文献３は、ロック装置は、窓枠に別体のロック装置本体を連動し、かつこの別体のロック装置本体を設置する構成であることから、構造が複雑となること、コストの上昇を招来すること等の問題がある。そして、前記構造の複雑化と相俟って、さらに別体のロック装置本体の設置に、新たな手段を必要とすることから、一層の複雑化とコストの上昇に滑車をかける虞がある。尚、この発明は、引き違い戸のロックの施錠及び／又は開錠に留まり、他の目的を達成できず改良の余地がある。
【００１１】
また文献４は、各種のセンサー、遠隔操作スイッチを用いて自動的に開閉できる窓等に関する考案であり、他の目的を達成できず改良の余地がある。また窃盗、盗難等の犯罪時に関する手当てが無く、一面的な改良に留まっている。
【００１２】
上記に鑑み、本発明は、「１」  窓のロック部の自動開錠及び／又は施錠と、雨水センサー等のセンサーによる窓の開閉を司る窓の自動開閉システムを提供し、総合的な自動開錠及び／又は施錠と、同時に窓の自動開放及び／又は閉塞を図ることを意図する。そして、既設の窓にも簡易かつ確実に取付けできること、また部品点数を少なくし製造の容易化を図ること、殊に洋風の家の窓（出窓等）に取付けが可能な構造を提供すること等を意図する。また「２」  ロック部の自動開錠及び／又は施錠と、雨水センサー等のセンサーにより外出中、就寝中、子供の留守番の状態、幼児を置いた状態等において、窓が開放されていても自動で閉塞（閉窓）が可能であり（逆の動作も同じ）、急な天候の変化に対応できること、また防犯性の向上に寄与できること、安心して外出できること等を意図する。
そして、「３」  障害者、子供等に優しい、窓の開閉及び／又は閉塞手段を提供すること
を意図する。
【課題を解決するための手段】
【００１３】
請求項１の発明は、ロック施錠、開錠機構及び／又は第２制御部と、制御部で、施錠及び／又は開錠と、窓の開閉を図ることで、前述した「１」〜「３」の目的を達成することを意図する。そして、この目的を簡単な装置で達成すること、また既設の窓に簡易に取付け得ること等を意図する。またこの請求項１の発明では、窓、窓開閉機構等の確実な開閉と、その静寂な駆動及び／又は窓の静寂な開閉を図ることを意図する。
【００１４】
請求項１は、建物の窓に設けられた施錠及び／又は開錠用のロック本体とロック片でなるロック施錠、開錠機構と、前記窓の開閉を司る窓開閉機構とで構成した窓のロック及び／又は開閉を自動制御する窓の自動開閉システムであって、
このロック本体とロック片でなるロック施錠、開錠機構は、一方の窓の窓枠に開設された孔に取付けられる基台と、この基台に設けられたロック本体と、このロック本体を上下方向に可動する駆動部と、前記ロック本体の施錠、開錠を司る窓枠に設けたロック片とで構成し、
また前記窓開閉機構は、一方の窓に設けた駆動従動部と、窓枠に設けた駆動主動部と、この駆動主動部を駆動する駆動部と、この駆動部の停止を司る停止手段で構成し、
さらに前記窓開閉機構は、窓に貼着したラックと、このラックに噛合する窓の框に設けたピニオンと、このピニオンを駆動する正逆転モーターと、前記ピニオン及び／又はモーターを収める支持ケースと、この支持ケースに設けた対のストッパーとで構成し、
た窓のロック及び／又は開閉を自動制御する窓の自動開閉システムである。
【００１５】
請求項２の発明は、請求項１の目的を達成すること、この目的を達成するのに最適な第２制御部を提供することを意図する。
【００１６】
請求項２の発明は、請求項１に記載の窓開閉機構は、屋外に設置した雨水センサー、または室内の温度センサーの制御部で窓を作動する構成とした窓の自動開閉システムである。
【００１７】
【００１８】
請求項３の発明は、請求項１の目的を達成すること、さらに他の目的を達成するために窓に振動センサーを付設することを意図する。
【００１９】
請求項３は、請求項１に記載の窓に振動センサーを設け、この振動センサーの動作で警報手段を作動することを特徴とする窓の自動開閉システムである。
【００２０】
【００２１】
【００２２】
【００２３】
【００２４】
【００２５】
【００２６】
【００２７】
【００２８】
【００２９】
【００３０】
【００３１】
【発明の効果】
【００３２】
請求項１の発明は、建物の窓に設けられた施錠及び／又は開錠用のロック本体とロック片でなるロック施錠、開錠機構と、窓の開閉を司る窓開閉機構とで構成した窓のロック及び／又は開閉を自動制御する窓の自動開閉システムであって、
ロック本体とロック片でなるロック施錠、開錠機構は、一方の窓の窓枠に開設された孔に取付けられる基台と、基台に設けられたロック本体と、ロック本体を上下方向に可動する駆動部と、ロック本体の施錠、開錠を司る窓枠に設けたロック片とで構成し、
また窓開閉機構は、一方の窓に設けた駆動従動部と、窓枠に設けた駆動主動部と、駆動主動部を駆動する駆動部と、駆動部の停止を司る停止手段で構成し、
さらに窓開閉機構は、窓に貼着したラックと、ラックに噛合する窓の框に設けたピニオンと、ピニオンを駆動する正逆転モーターと、ピニオン及び／又はモーターを収める支持ケースと、支持ケースに設けた対のストッパーとで構成し、
た窓のロック及び／又は開閉を自動制御する窓の自動開閉システムである。
【００３３】
従って、請求項１は、ロック施錠、開錠機構及び／又は第２制御部と、制御部で、施錠及び／又は開錠と、窓の開閉が図れることで、前述した「１」〜「３」の目的を達成できる特徴がある。そして、この目的を簡単な装置で達成できること、また既設の窓に簡易に取付け得ること等の実益がある。またこの請求項１は、窓、窓開閉機構等の確実な開閉と、その静寂な駆動及び／又は窓の静寂な開閉が図れること等の実益を有する。
【００３４】
請求項２の発明は、請求項１に記載の窓開閉機構は、屋外に設置した雨水センサー、または室内の温度センサーの制御部で窓を作動する構成とした窓の自動開閉システムである。
【００３５】
従って、請求項２は、請求項１の目的を達成できること、この目的を達成するのに最適な第２制御部を提供できること等の特徴がある。
【００３６】
【００３７】
請求項４の発明は、請求項１に記載の窓に振動センサーを設け、振動センサーの動作で警報手段を作動する窓の自動開閉システムである。
【００３８】
従って、請求項４は、請求項１の目的を達成できること、さらに他の目的を達成するために窓に振動センサーを付設できること等の特徴がある。
【００３９】
【００４０】
【００４１】
【００４２】
【００４３】
【００４４】
【００４５】
【００４６】
【００４７】
【００４８】
【００４９】
【００５０】
【発明を実施するための最良の形態】
【００５１】
本発明の各実施例を図面を基に説明する。
【００５２】
〔１〕  本発明の自動ロック施錠・開錠装置のロック施錠、開錠機構１と、ロック部２の関係を説明する。そして、このロック施錠、開錠機構１は、ロック部２の施錠・開錠を司る構造であり、この例では、ロック部２は、窓枠３に開設した従来の孔を利用して取付けられた基台４と、この基台４に蟻溝嵌合等のガイド機構を介して昇降自在に設けられたロック本体５と、このロック本体５を可動する基台４に内蔵した図示しない駆動部と、他方の窓枠３−１に設けたロック片６で構成する。従って、このロック本体５はロック施錠、開錠機構１で可動（上下方向に移動）されることで、このロック本体５のロック爪５００が移動する。このロック爪５００の移動によりロック片６との係止、係脱が行われ、前記ロック部２の施錠・開錠が図れる。尚、ロック施錠、開錠機構１は、遠隔操作用として利用する。このロック施錠、開錠機構１は、例えば、図３−１の如く、開閉の二釦構造とすることで、構造の簡素化と、簡易な操作と、操作の誤りを回避する構造となっている。
【００５３】
尚、このロック施錠、開錠機構１及び／又はガラス８等に、振動センサー７（警報センサー）を付設することも可能であり、例えば、この振動センサー７を、前記ロック本体５及び／又は窓枠３、ガラス８等の何れかの箇所に単独及び／又は併用して設け、このロック本体５等への振動、破損等の障害が発生した段階で、警報を発するか、所定の箇所に異常を通知する等とすることで、例えば、防犯用としての利用、また施錠忘れ回避としての利用等が考えられる。
【００５４】
またロック施錠、開錠機構１の第１制御部１００は、図３−２の如く、開閉の二釦構造に別の機能を付与することも可能であり、例えば、後述する窓開閉機構１０の開閉をする二釦構造を採用した第２制御部１０００を併用すること、又は開放を示す開は釦の文字、全体等を青、閉塞を示す閉は釦の文字、全体等を赤などの如く識別する構造、図示の例の如く、形態を変更する構造等とする。何れにしても、間違いのない構造とすることが望ましい。その理由は、前述の他に、例えば、老人、障害者、痴呆症、或は子供等の如く、弱者や理解の困難な者でも間違いのないロック施錠、開錠機構１等の開閉操作が可能な構造が望ましい。
【００５５】
尚、図３−３に示すように窓開閉機構１０の開閉をする二釦構造とすることも可能であり、その効果は前述の例に準ずる。
【００５６】
〔２〕  本発明の窓９の開閉及び駆動部の制御を司る窓開閉機構１０（自動窓開閉装置）と、この窓開閉機構１０を動作する第２制御部（雨水センサー１８等）の関係を各実施例について説明する。
【００５７】
〔２−１〕  図４は第一の実施例であり、歯車、弾性体を使用した窓開閉機構１０である。この窓開閉機構１０は、窓９の開閉を司る駆動従動部を構成する框９０（建物、固定手段等の固定物、以下、省略する）に設けたプーリー１１（伝達手段）と、このプーリー１１に捲装し、かつ第１の歯車１２に捲装する弾性体１３と、この第１の歯車１２に噛合し、かつ前記窓９に軸支した第２の歯車１４と、この第２の歯車１４に軸支した第３の歯車１４０と、前記第２の歯車１４に噛合するバネ１９を備えたラチエット１５と、このラチエット１５の逆転防止用の爪１６で構成し、このプーリー１１からの動力を弾性体１３により第１の歯車１２と、第２の歯車１４に伝達する。そして、この第１の歯車１２の正逆転及び／又は停止で窓９を開閉する。またこの第２の歯車１４に軸承した第３の歯車１４０にはラチエット１５が噛合されており、この第２の歯車１４の停止時は、このラチエット１５に噛合する可動式の爪１６で固止される。また駆動主動部はモーター１７であり、このモーター１７の出力軸に前記プーリー１１が設けられている。またこのモーター１７の制動は、第２制御部の一例である雨水を感知する雨水センサー、温度センサー等のセンサー（以下、雨水センサー１８とする）、又は遠隔操作、タイマー等の手段で行われる。従って、雨水センサー１８が雨水を検知した状態で、モーター１７が駆動し、前述した駆動従動部の働きで（第２の歯車１４の回転で）、窓９が閉塞される。また温度センサーが所定以上の室内温度及び／又は外気温度等を検知した状態で、モーター１７が駆動し、前述した駆動従動部の働きで、窓９を開放及び／又は閉塞する。そして、この窓９の開閉を司るモーター１７の駆動は、第２制御部の一例である遠隔操作及び／又はタイマー等の自動制御による駆動及び／又は停止も可能である。そして、ラチエット１５の逆転は、爪１６の開放と、バネ１９の反発力を利用する。また前記雨水センサー１８は、雨水を感知する構造であり、例えば、降雨の際、雨水センサー１８により雨水を感知すると、通電するように設定されている。また雨水だけでなく、水滴にも反応することも可能であり、例え一滴の水滴でも、その水滴に反応できるので、漏れ、加湿等を防止できる。また温度センサーにて温度を測定し、室温が所定の温度領域より高い場合は窓を開くように通電し、低い場合は、窓を閉じるように通電する設定や、窓９が勝手に開いた場合にブザーが鳴る等の防犯センサーの設定も可能である。本発明の雨水センサーは図１２のように、非常に小型であり、外部に設置されていても体裁がよく、景観上の問題も無い。
【００５８】
次に窓９の開放を概述すると（回転等の機能は省略）、雨水センサー１８の検知（後述するタイマー、遠隔操作等もあり得る）→モーター１７の正転→プーリー１１→第１の歯車１２→弾性体１３→第２の歯車１４及び／又は第３の歯車１４０→ラチエット１５→バネ１９の緊締→ラチエット１５を停止する爪１６の係止と、前記モーター１７の停止である。また窓９の閉塞を概述すると、ラチエット１５に対する爪１６の係止解除と、バネ１９の反揆→ラチエット１５→第２の歯車１４及び／又は第３の歯車１４０の逆転（回転）→弾性体１３→第１の歯車１２→プーリー１１の空転→モーター１７の逆転或いは空転→バネ１９の反発終了（弛緩状態）→ラチエット１５を停止する爪１６による停止である。尚、窓９の開放は、タイマー、遠隔操作、手動（節電が可能である）等もあり得るが、この際に、モーター１７、プーリー１１の空転と爪１６の係止解除を確保することが望ましい。
【００５９】
尚、またタイマー設定、遠隔操作等の方法では、窓９の開閉時間の設定とは、何時何分に窓９を開放し（開き）、何時に窓９を閉塞（閉める）等の時間を設定する。例えば、午前７時に窓９を開放し、午後５時に窓９を閉塞するといった方法が可能である。また何時から何時間の開放等の設定も可能である。また窓９の開閉速度の設定とは、窓９の開閉速度を決めることができる設定であり、窓９のタイプによって開閉速度を変えることが可能である。例えば、窓枠３から外れやすい窓９であれば、開閉速度を遅くして窓９の外れを防止することができる。また窓９は人の手等に触れやすい場所にあり、自動開閉の速度には注意が必要であるので、開閉速度の変更で危険を回避することも可能である。この開閉速度の設定は、モーター１７の回転数の調整、バネ１９の反発力の調整、後述する他の実施例で磁石の反発力の調整等により行うことが可能である。尚、窓９の開閉位置の設定とは、窓９を全開と半開するか、また窓９の開放幅の設定等は自由であり、例えば、夏の暑い日は全開にし、冬の寒い日は少しだけ開放するように設定することも可能である。また換気の場合は少しだけ開放することも可能であり、短時間で一斉に空気を入れ換えたい時は、全開にする等の調整も簡易にできる。さらに開閉位置の設定方法としては、前記のように開閉速度の設定を変更することで、例えば、モーター１７の速度が毎秒３０回転時には３０秒間モーター１７を回転させる、モーター１７の速度が毎秒５０回転の時は２０秒間モーター１７を回転させることが可能であり、それにより一定距離動くことにより開閉位置の設定が可能である。また開閉位置センサーを設けて、例えば、窓枠３より３０ｃｍ位置での静止し、５０ｃｍ位置での静止等のように開放位置による設定も可能である。
【００６０】
〔２−２〕  図５は第二の実施例であり、伸縮杆を使用した窓開閉機構１０である。この窓開閉機構１０は、窓９の開閉を司る駆動従動部を構成する窓９に貼着する窓取付け部２１（窓枠３、ガラス８も可能である。例えば、吸盤が望ましい）と、この窓取付け部２１に連係する框９０に設けた入れ子式の伸縮杆２２と、この伸縮杆２２が収容される収容ケース２３と、又はこの収容ケース２３を窓９に取付ける基台２４で構成する。この例では、雨水センサー１８等の操作で駆動主動部を構成するモーター１７が正逆転し、このモーター１７の正逆転を介して伸縮杆２２を伸縮し、窓取付け部２１の前進後退を利用し、窓９の開閉を図る。そして、伸縮杆２２は収容ケース２３に収まる構成である。また収容ケース２３に窓９の開放端、閉塞端等の位置を決定するストッパー２５、２６等の停止手段を設けることで、窓９を開閉端、又は所定の位置に停止できる構成である（他の例も同じ）。そして、この例では、ストッパー２５により窓９の開放端で、またストッパー２６により同閉塞端で停止することと、同時にモーター１７の回転を停止する構成であり、例えば、安全が確保できること、窓９の開閉を確実に保持できること等の特徴がある。尚、その他の構成及び／又は作用等は前述の例に準ずる。
【００６１】
〔２−３〕  図６は第三の実施例であり、ラックを使用した窓開閉機構１０である。この窓開閉機構１０は、窓９の開閉を司る駆動従動部を構成する窓９に貼着する樹脂製、金属製等のラック３０と、このラック３０に噛合する框９０に設けたピニオン３１と、このピニオン３１を軸支できる框９０に設けた支持ケース３２と、ストッパー２５、２６等の停止手段で構成する。この例では、雨水センサー１８等の操作で駆動主動部を構成するモーター１７が正逆転し、このモーター１７の正逆転を介して框９０に設けた（固定側）ピニオン３１を正逆転する。そして、この例では、ピニオン３１が固定されているので、このピニオンと３１と噛合するラック３０が（建物及び／又は框９０に対して）開放又は閉塞方向に可動し、このラック３０の可動で窓９が開閉される構成である。そして、この例では、ラック３０をガラス８に貼着する構成であり、簡易にセット又はリセットできること、安価であること、素人でも容易に装着できること等の特徴がある。さらにこの例では支持ケース３２に設けたモーター１７の出力軸にピニオン３１を垂設し、このピニオン３１にガラス８に貼着したラック３０の歯３００（室内に向かって立設した）を噛合する構成とし、取付けの簡便化、保守管理の容易化等に寄与できる。尚、ピニオン３１、ラック３０の取付け、取付け部材等は一例である。またその他の構成及び／又は作用等は前述の例に準ずる。そして、この例では、窓９、駆動従動部等の確実な開閉と、その静寂な駆動及び／又は窓９の静寂な開閉が図れる特徴がある。
【００６２】
〔２−４〕  図７は第四の実施例であり、ネジ軸、ネジを備えた支承部を等使用した窓開閉機構１０である。この窓開閉機構１０は、窓９の開閉を司る駆動従動部を構成する窓９に貼着する樹脂製、金属製等の窓取付け部２１と、この窓取付け部２１に連係する框９０に設けた支承部３６と、この支承部３６のネジ（図示せず）に噛合する框９０に設けたネジ軸３５と、このネジ軸３５の一端に設けたプーリー３９と、このプーリー３９と框９０に設けたモーター１７の出力軸に固止したプーリー３８と、このプーリー３９、３８間に捲装したベルト３７と、前述の停止手段で構成する。この例では、雨水センサー１８等の操作で駆動主動部を構成するモーター１７が正逆転し、このモーター１７の正逆転を介してプーリー３８からベルト３７掛けしたプーリー３９を回転し、このプーリー３９の回転でネジ軸３５を正逆転する。このネジ軸３５の正逆転により支承部３６が前進後退（図面上で左右方向）し、この前進後退に倣って窓取付け部２１も同じ動きをすることから、窓９の開閉が行われる。この例では、框９０にストッパー２５、２６を設け、前述の例と同様に制御する。尚、その他の構成及び／又は作用等は前述の例に準ずる。図中４０は軸受けを示す。この例では、窓９の確実な開閉と、駆動従動部等の静寂な駆動及び／又は窓９の静寂な開閉が図れる特徴がある。
【００６３】
〔２−５〕  図８は第五の実施例であり、プーリー（ローラー等の伝道手段）、ベルトを備えた支承部等を使用した窓開閉機構１０である。この窓開閉機構１０は、窓９の開閉を司る駆動従動部を構成する窓９に貼着する樹脂製、金属製等の窓取付け部２１と、この窓取付け部２１に連係する框９０に設けたプーリー４１と、このプーリー４１に捲装したベルト４２と、このベルト４２が懸架されるプーリー４３と、前述の停止手段で構成する。この例では、雨水センサー１８等の操作で駆動主動部を構成するモーター１７が正逆転し、このモーター１７の正逆転で、プーリー４３と、このプーリー４３からベルト４２掛けしたプーリー４１を回転する。そして、このプーリー４３とプーリー４１の正逆転でベルト４２が前進後退する（開閉方向に移動する）。従って、このベルト４２に連係されている窓取付け部２１が前進後退するとともに、この窓取付け部２１の前進後退に倣って窓９の開閉が行われる。この例では、框９０にストッパー２５、２６を設け、前述の例と同様に制御する。尚、その他の構成及び／又は作用等は前述の例に準ずる。この例では、窓９の確実な開閉と、駆動従動部等の静寂な駆動及び／又は窓９の静寂な開閉が図れる特徴がある。
【００６４】
〔２−６〕  図９は第六の実施例であり、磁石、電源等使用した窓開閉機構１０である。この窓開閉機構１０は、窓９の開閉を司る駆動従動部を構成する窓９に貼着する電磁石５０（一方側の第１の磁石）と、窓９に設けた窓取付け部２１と、この窓取付け部２１に連係する磁石５１と、前記電磁石５０のへの通電を図るＮＳ切換え用の機構５２で構成する。この例では、雨水センサー１８等の操作及び／又はＮＳ切換え用の機構５２を介して電磁石５０に通電及び／又は通電停止をし、他の磁石５１（他方側の第２の磁石）の吸引又は反発を利用し、窓取付け部２１の前進後退を図り、これにより窓９の開閉をする。この例では、框９０にストッパー２５、２６を設け、前述の例と同様に、開放し、閉塞端で停止（静止）できる。尚、その他の構成及び／又は作用等は前述の例に準ずる。この例では、窓９の確実な開閉と、駆動従動部等の静寂な駆動及び／又は窓９の静寂な開閉が図れる特徴がある。そして、この例では、電磁石５０への通電及び／又は通電停止で、任意の位置に窓９を停止できる特徴がある。またこの例では、タイマーと電磁石５０への通電及び／又は通電停止を利用するは、遠隔操作が不要の場合もありえる。また前記電磁石５０と磁石５１の磁気を遮断、切換え等するとともに、スプリング等の反発手段（図示せず）を介して窓９の閉塞又は開放等することも可能である。
【００６５】
尚、図１０に示した窓９については、框９０に本発明の窓開閉機構１０を設置することにより、窓９から外への移動の際、邪魔にならないようにすることもできる。また図１１〜図１３に示した洋風の家に多い出窓９ａにも簡易に取付けることが可能である。特に出窓９ａの場合には場所も取らず少量のスペースで足りるため、邪魔にならずに簡易に設置できる。図１２は出窓９ａを外から見た際の図であり、雨水センサー１８が外部に出ており、雨水の検出を行う。尚、各図では雨水センサー１８となっているが、雨水センサー１８だけでなく、太陽電池を取付けることも可能である。その際は同位置に取付けても別々に取付けてもよく、位置も特に限定されない。
【００６６】
図１４は本発明の回路模式図であり、６０は電池、６１はタイマー、温度センサー６２又は雨水センサー１８、振動センサー７等を示している。従って、例えば、設定時間になりタイマー６１が作動した場合、また温度センサー６２が一定の温度になった場合、雨水センサー１８で雨水を感知した場合、又は遠隔操作等によって通電するスイッチ６３が設けられている。図１５は従来の天窓９ｂについた雨水センサー１８を示す。この天窓９ｂに本発明が採用できることも勿論である。そして、場合により、出入り口の扉、ゲート等の開閉部に本発明を採用できることも勿論であり、またセンサー等は雨水センサー１８、振動センサー７、人的センサー、遠隔センサー等の各種のセンサーを単独使用するか、また併用するかは、例えば、警備状況、使用目的又は時機等を考慮して適宜選択する。そして、これらに遠隔操作等を組み合わせ使用することも可能である。
【００６７】
そして、本発明の特徴とする処は、自動開閉システムを既設の窓９、ガラス８、框９０にそれぞれ設置できるので、この窓９、ガラス８、框９０や建物等の有効利用と、コストの削減化、廃棄に伴う弊害の解除と、環境保護に役立つ等の有益性を有する。尚、新設の窓９、ガラス８、框９０や建物等にも利用できることは勿論である。
【図面の簡単な説明】
【００６８】
【図１】本発明のロック施錠、開錠機構の正面図
【図２】本発明のロック施錠、開錠機構の断面図
【図３−１】本発明のロック施錠、開錠機構の第１制御部の正面図
【図３−２】本発明のロック施錠、開錠機構の第１制御部と窓開閉機構の第２制御部とを併用した正面図
【図３−３】本発明の窓開閉機構の第２制御部の正面図
【図４】本発明の第一の実施例を表した模式図
【図５】本発明の第二の実施例を表した模式図
【図６】本発明の第三の実施例を表した模式図
【図７】本発明の第四の実施例を表した模式図
【図８】本発明の第五の実施例を表した模式図
【図９】本発明の第六の実施例を表した模式図
【図１０】本発明の実際の使用例を表した模式図
【図１１】本発明の実際の他の使用例を表した模式図
【図１２】本発明の実際のさらに他の使用例を表した模式図
【図１３】本発明の実際の別の使用例を表した模式図
【図１４】本発明の回路模式図を表した回路図
【図１５】従来例の天窓に本発明の雨水センサーを設置した模式図
【符号の説明】
【００６９】
１          ロック施錠、開錠機構
１００      第１制御部
２          ロック部
３          窓枠
３−１      他方の窓枠
４          基台
５          ロック本体
５００      ロック爪
６          ロック片
７          振動センサー
８          ガラス
９          窓
９ａ        出窓
９ｂ        天窓
９０        框
１０        窓開閉機構
１０００    第２制御部
１１        プーリー
１２        第１の歯車
１３        弾性体
１４        第２の歯車
１４０      第３の歯車
１５        ラチエット
１６        爪
１７        モーター
１８        雨水センサー
１９        バネ
２１        窓取付け部
２２        伸縮杆
２３        収容ケース
２４        基台
２５        ストッパー
２６        ストッパー
３０        ラック
３００      歯
３１        ピニオン
３２        支持ケース
３５        ネジ軸
３６        支承部
３７        ベルト
３８        プーリー
３９        プーリー
４０        軸受け
４１        プーリー
４２        ベルト
４３        プーリー
５０        電磁石
５１        磁石
５２        ＮＳ切換え用の機構
６０        電池
６１        タイマー
６２        温度センサー
６３        スイッチ